(57)【特許請求の範囲】
【請求項１】
モバイルベアラシステムに適用される登録方法であって、
光回線終端装置（ＯＬＴ）が光ネットワークユニット（ＯＮＵ）登録要求メッセージをベースバンドユニット（ＢＢＵ）へ送信する段階と、
前記ＯＬＴが、前記ＢＢＵから応答メッセージを受信した後に、ＯＮＵ登録を開始する段階と
を備え、
前記ＯＮＵ登録要求メッセージは、前記ＯＮＵ登録に必要とされるサイレントウィンドウのサイズを含み、前記サイレントウィンドウのサイズは、前記ＯＬＴと前記ＯＮＵとの間の光ファイバの長さに基づいて決定される、登録方法。
【請求項２】
前記ＢＢＵの前記応答メッセージは、前記ＢＢＵにより決定されるＯＮＵ登録応答識別子を含む、
請求項１に記載の登録方法。
【請求項３】
前記ＯＬＴがＯＮＵ登録完了メッセージを前記ＢＢＵへ送信する段階をさらに備える、請求項１または２に記載の登録方法。
【請求項４】
モバイルベアラシステムにおけるネットワーク側デバイスに適用される登録方法であって、
前記ネットワーク側デバイスは、ベースバンドユニット（ＢＢＵ）と、前記ＢＢＵに接続された光回線終端装置（ＯＬＴ）とを含み、
前記登録方法は、
前記ＢＢＵが、前記ＯＬＴにより送信された登録要求メッセージを受信する段階と、
前記ＢＢＵが、前記登録要求メッセージに基づいて、ユーザ機器デバイスへの帯域幅リソースの割り当てを一時的に停止する段階と、
前記ＢＢＵが、ＯＮＵ登録を完了するよう前記ＯＬＴに命令する段階と
を備え、
前記登録要求メッセージは、前記ＯＮＵ登録に必要とされるサイレントウィンドウのサイズを含み、前記サイレントウィンドウのサイズは、前記ＯＬＴとＯＮＵとの間の光ファイバの長さに基づいて決定される、登録方法。
【請求項５】
前記ＢＢＵが、前記ＯＮＵ登録に必要とされる前記サイレントウィンドウの前記サイズに基づいて、ＯＮＵ登録開始時刻を決定する段階と、
前記ＢＢＵが、決定した前記ＯＮＵ登録開始時刻を前記ＯＬＴへ送信する段階と
をさらに備える、請求項４に記載の登録方法。
【請求項６】
前記ＢＢＵが、前記ＢＢＵにより決定されたＯＮＵ登録応答識別子を前記ＯＬＴへ送信する段階
をさらに備え、
前記ＯＮＵ登録応答識別子は、前記ＯＬＴがＯＮＵ登録応答メッセージを受信した後に前記ＯＮＵ登録を実行し得るかどうか、を識別するために用いられる、
請求項４または５に記載の登録方法。
【請求項７】
モバイルベアラシステムにおけるネットワーク側デバイスに適用される登録方法であって、
前記ネットワーク側デバイスは、クラウドコントローラと、ベースバンドユニット（ＢＢＵ）と、前記ＢＢＵに接続された光回線終端装置（ＯＬＴ）とを含み、
前記登録方法は、
前記クラウドコントローラがＯＮＵ登録開始時刻を決定する段階と、
前記クラウドコントローラが、前記ＯＮＵ登録開始時刻に基づいて、ユーザ機器デバイスへの帯域幅リソースの割り当てを一時的に停止する段階と、
前記クラウドコントローラが、前記ＯＮＵ登録開始時刻に基づいて、ＯＮＵ登録を完了するよう前記ＯＬＴに命令する段階と
を備え、
前記クラウドコントローラがＯＮＵ登録開始時刻を決定する前記段階は、具体的には、前記ＯＮＵ登録を開始するための命令であって、前記ＯＮＵ登録に必要とされるサイレントウィンドウのサイズを含む命令を前記クラウドコントローラが受信し、前記命令中の、前記ＯＮＵ登録に必要とされる前記サイレントウィンドウの前記サイズに基づいて、前記ＯＮＵ登録開始時刻を決定する段階を有し、
前記サイレントウィンドウのサイズは、前記ＯＬＴとＯＮＵとの間の光ファイバの長さに基づいて決定される、登録方法。
【請求項８】
光ネットワークユニット登録要求メッセージ（ＯＮＵ登録要求メッセージ）をベースバンドユニット（ＢＢＵ）へ送信し、かつ、前記ＢＢＵからＯＮＵ登録応答メッセージを受信するように構成される送受信機と、
前記送受信機が前記ＢＢＵから前記ＯＮＵ登録応答メッセージを受信した後にＯＮＵ登録を開始するように構成されるプロセッサと
を備え、
前記ＯＮＵ登録要求メッセージは、前記ＯＮＵ登録に必要とされるサイレントウィンドウのサイズを含み、前記サイレントウィンドウのサイズは、ＯＬＴとＯＮＵとの間の光ファイバの長さに基づいて決定される、ネットワーク側デバイス。
【請求項９】
前記ＢＢＵの前記ＯＮＵ登録応答メッセージは、前記ＢＢＵにより決定されるＯＮＵ登録応答識別子を含み、
前記ＯＮＵ登録応答識別子は、ＯＬＴが前記ＯＮＵ登録応答メッセージを受信した後に前記ＯＮＵ登録を実行し得るかどうか、を識別するために用いられる、
請求項８に記載のネットワーク側デバイス。
【請求項１０】
前記送受信機はさらに、ＯＮＵ登録完了メッセージを前記ＢＢＵへ送信するように構成される、
請求項８または９に記載のネットワーク側デバイス。
【請求項１１】
ＯＬＴにより送信された登録要求メッセージを受信するように構成される送受信機と、
前記登録要求メッセージに基づいて、ユーザ機器デバイスへの帯域幅リソースの割り当てを一時的に停止するように構成されるコントローラと
を備え、
前記登録要求メッセージは、ＯＮＵ登録に必要とされるサイレントウィンドウのサイズを含み、前記サイレントウィンドウのサイズは、前記ＯＬＴとＯＮＵとの間の光ファイバの長さに基づいて決定される、ネットワーク側デバイス。
【請求項１２】
前記コントローラはさらに、前記ＯＮＵ登録に必要とされる前記サイレントウィンドウの前記サイズに基づいて、ＯＮＵ登録開始時刻を決定するように構成され、
前記送受信機はさらに、決定した前記ＯＮＵ登録開始時刻を前記ＯＬＴへ送信するように構成される、
請求項１１に記載のネットワーク側デバイス。
【請求項１３】
前記送受信機はさらに、ＢＢＵにより決定されたＯＮＵ登録応答識別子を前記ＯＬＴへ送信するように構成され、
前記ＯＮＵ登録応答識別子は、前記ＯＬＴがＯＮＵ登録応答メッセージを受信した後に前記ＯＮＵ登録を実行し得るかどうか、を識別するために用いられる、
請求項１１または１２に記載のネットワーク側デバイス。
【請求項１４】
ＯＮＵ登録開始時刻を決定するように構成される計算ユニットと、
前記ＯＮＵ登録開始時刻に基づいて、ユーザ機器デバイスへの帯域幅リソースの割り当てを一時的に停止するように構成される処理ユニットと
を備え、
前記計算ユニットは、具体的には、ＯＮＵ登録期間と、ＯＮＵ登録に必要とされるサイレントウィンドウのサイズとを含む、前記ＯＮＵ登録を開始するための命令を受信し、かつ、前記命令中の、前記ＯＮＵ登録期間と、前記ＯＮＵ登録に必要とされる前記サイレントウィンドウの前記サイズとに基づいて、前記ＯＮＵ登録開始時刻を決定するように構成され、前記サイレントウィンドウの前記サイズは、ＯＬＴとＯＮＵとの間の光ファイバの長さに基づいて決定される、ネットワーク側デバイス。
【請求項１５】
ベースバンドユニット（ＢＢＵ）と、
遠隔無線ユニット（ＲＲＵ）と、
前記ＢＢＵに接続された光回線終端装置（ＯＬＴ）と、
前記ＲＲＵに接続された光ネットワークユニット（ＯＮＵ）と
を備え、
前記ＯＬＴは、光分配ネットワーク（ＯＤＮ）を用いることにより各ＯＮＵに接続され、かつ、
前記ＯＬＴは、請求項８から１０のいずれか一項に記載のネットワーク側デバイスを有し、前記ＢＢＵは、請求項１１から１３のいずれか一項に記載のネットワーク側デバイスを有する、または、
前記ＢＢＵは、請求項１４に記載のネットワーク側デバイスを有する、
データ通信システム。
【請求項１６】
クラウドコントローラと、
ベースバンドユニット（ＢＢＵ）と、
遠隔無線ユニット（ＲＲＵ）と、
前記ＢＢＵに接続された光回線終端装置（ＯＬＴ）と、
前記ＲＲＵに接続された光ネットワークユニット（ＯＮＵ）と
を備え、
前記ＯＬＴは、光分配ネットワーク（ＯＤＮ）を用いることにより各ＯＮＵに接続され、
前記クラウドコントローラは、ＯＮＵ登録に必要とされるサイレントウィンドウのサイズに基づいてＯＮＵ登録開始時刻を決定し、前記サイレントウィンドウのサイズは、前記ＯＬＴと前記ＯＮＵとの間の光ファイバの長さに基づいて決定され、前記ＯＮＵ登録開始時刻に基づいて、前記ＢＢＵのＵＥへの帯域幅リソースの割り当てと、前記ＯＬＴのＯＮＵへの帯域幅の割り当てとを一時的に停止し、かつ、ＯＮＵ登録を開始するよう前記ＯＬＴに命令するように構成され、
前記ＯＬＴは、前記クラウドコントローラの命令に基づいて、前記ＯＮＵ登録を完了する、データ通信システム。
【請求項１７】
請求項１から３のいずれか一項に記載の方法をコンピュータに実行させるプログラムが記録されたコンピュータ可読記憶媒体。
【請求項１８】
請求項１から３のいずれか一項に記載の方法をコンピュータに実行させるプログラム。
【請求項１９】
請求項４から６のいずれか一項に記載の方法をコンピュータに実行させるプログラムが記録されたコンピュータ可読記憶媒体。
【請求項２０】
請求項４から６のいずれか一項に記載の方法をコンピュータに実行させるプログラム。
【請求項２１】
請求項７に記載の方法をコンピュータに実行させるプログラムが記録されたコンピュータ可読記憶媒体。
【請求項２２】
請求項７に記載の方法をコンピュータに実行させるプログラム。
【発明の詳細な説明】
【技術分野】
【０００１】
本願は、光通信分野に関し、特に、データ通信システム、光回線終端装置（Ｏｐｔｉｃａｌ  Ｌｉｎｅ  Ｔｅｒｍｉｎａｌ、ＯＬＴ）およびベースバンドユニット（Ｂａｓｅｂａｎｄ  Ｕｎｉｔ、ＢＢＵ）に関する。
【背景技術】
【０００２】
受動光ネットワーク（Ｐａｓｓｉｖｅ  Ｏｐｔｉｃａｌ  Ｎｅｔｗｏｒｋ、ＰＯＮ）は、ポイント・ツー・マルチポイントネットワークトポロジ構造を有し、通常、中央局に位置する光回線終端装置（Ｏｐｔｉｃａｌ  Ｌｉｎｅ  Ｔｅｒｍｉｎａｌ、ＯＬＴ）、ユーザ側に位置する複数の光ネットワークユニット（Ｏｐｔｉｃａｌ  Ｎｅｔｗｏｒｋ  Ｕｎｉｔ、ＯＮＵ）、光回線終端装置と複数の光ネットワークユニットとの間に位置する光分配ネットワーク（Ｏｐｔｉｃａｌ  Ｄｉｓｔｒｉｂｕｔｉｏｎ  Ｎｅｔｗｏｒｋ、ＯＤＮ）を含む。
【０００３】
ＰＯＮシステムにおいて、新たに追加されたＯＮＵは、ＯＬＴに登録された後にのみ、アップストリームチャネルを通じてアップストリームサービスデータをＯＬＴへ送信し得る。イーサネット（登録商標）受動光ネットワーク（Ｅｔｈｅｒｎｅｔ  Ｐａｓｓｉｖｅ  Ｏｐｔｉｃａｌ  Ｎｅｔｗｏｒｋ、ＥＰＯＮ）システムにおいて、ＯＬＴは、登録応答パケットに保持されたメディアアクセス制御（Ｍｅｄｉａ  Ａｃｃｅｓｓ  Ｃｏｎｔｒｏｌ、ＭＡＣ）アドレスに基づいて論理リンク識別子（Ｌｏｇｉｃａｌ  Ｌｉｎｋ  Ｉｄｅｎｔｉｆｉｅｒ、ＬＬＩＤ）を新たに追加されたＯＮＵに割り当てるためにアップストリームチャネルを通じて新たに追加されたＯＮＵにより送信された登録応答パケットを、サイレントウィンドウを開くことにより受信すると共に、新たに追加されたＯＮＵに対して範囲設定を実行して、新たに追加されたＯＮＵをＥＰＯＮシステムに登録する。ギガビット対応型受動光ネットワーク（Ｇｉｇａｂｉｔ−Ｃａｐａｂｌｅ  Ｐａｓｓｉｖｅ  Ｏｐｔｉｃａｌ  Ｎｅｔｗｏｒｋ、ＧＰＯＮ）システムにおいて、ＯＬＴは、サイレントウィンドウを開くことにより、新たに追加されたＯＮＵにより送信された登録応答パケットを受信して、登録応答パケットにおいて保持されるシリアル番号（Ｓｅｒｉａｌ  Ｎｕｍｂｅｒ、ＳＮＲ）に基づいて、ＯＮＵ  ＩＤを割り当て、さらに、新たに追加されたＯＮＵに対して範囲設定を完了して、新たに追加されたＯＮＵをＧＰＯＮシステムに登録する。
【０００４】
登録が完了した後に、登録されたＯＮＵは、異なるＯＮＵにより送信されたアップストリームサービスデータがアップストリームチャネル上で互いに競合することを防止するために、ＯＬＴにより割り当てられたアップストリーム送信タイムスロットに基づいて、時分割多元接続（Ｔｉｍｅ  Ｄｉｖｉｓｉｏｎ  Ｍｕｌｔｉｐｌｅ  Ａｃｃｅｓｓ、ＴＤＭＡ）方式で、アップストリームチャネルを通じて、アップストリームサービスデータをＯＬＴへ送信する。加えて、新たに追加されたＯＮＵの登録中に、ＯＬＴは、アップストリームチャネル上での登録応答パケットとアップストリームサービスデータとの間の競合を回避するために、登録されたＯＮＵへの帯域幅の許可を停止する。具体的には、登録されたＯＮＵは、アップストリームサービスデータの送信を停止する。
【０００５】
ＰＯＮシステムでは、サイレントウィンドウが終了した後にのみ、登録されたＯＮＵがアップストリームサービスデータを送信し得るので、アップストリームサービスデータの送信中に比較的大きい遅延が存在し、結果的に、遅延感応型サービスのシステム遅延要件が満たされ得ない。例えば、ＰＯＮシステムがモバイルベアラシステムに適用されるシナリオにおいて、ベースバンドユニット（Ｂａｓｅｂａｎｄ  Ｕｎｉｔ、ＢＢＵ）と遠隔無線ユニット（Ｒｅｍｏｔｅ  Ｒａｄｉｏ  Ｕｎｉｔ、ＲＲＵ）との間のインタフェースには、１００μｓ未満の遅延が必要とされる。ＰＯＮシステムにおけるＯＬＴは、新たに追加されたＯＮＵの登録を完了するので、サイレントウィンドウは通常、２００μｓから２５０μｓにわたって一度開かれる。この場合、全ての登録されたＯＮＵは、２００μｓから２５０μｓにわたって待機した後にのみ、正常なデータ通信を実行し得る。結果的に、モバイルベアラシステムのシナリオにおける遅延は、サービスの送信に必要とされる１００μという遅延の性能要件を満たし得ない。
【発明の概要】
【０００６】
サイレントウィンドウが終了した後にのみ、登録されたＯＮＵがアップストリームサービスデータを送信し得るので、アップストリームサービスデータの送信中に比較的大きい遅延が存在し、結果的に、遅延感応型サービスのシステム遅延要件が満たされ得ない、という問題を解決するために、技術的解決手段は、以下のとおりである。
【０００７】
第１の設計解決手段において、登録方法が提供され、モバイルベアラシステムに適用される。  方法は、
光回線終端装置（ＯＬＴ）が、光ネットワークユニット登録要求メッセージ（ＯＮＵ登録要求メッセージ）をベースバンドユニット（ＢＢＵ）へ送信する段階と、
ＯＬＴが、ＢＢＵから応答メッセージを受信した後に、ＯＮＵ登録を開始する段階と
を含む。
【０００８】
可能な設計において、登録要求は、ＯＮＵ登録に必要とされるサイレントウィンドウのサイズを含む。
【０００９】
可能な設計において。ＢＢＵの応答メッセージは、ＢＢＵにより決定されたＯＮＵ登録応答識別子を含む。
【００１０】
可能な設計において、方法は、
ＯＬＴがＯＮＵ登録完了メッセージをＢＢＵへ送信する段階
をさらに含む。
【００１１】
この設計解決手段において、ＯＬＴは、ＯＮＵ登録要求メッセージをＢＢＵへ送信し、ＢＢＵは、ＯＮＵ登録要求メッセージを受信した後に、ユーザ機器デバイスへの帯域幅リソースの割り当てを一時的に停止し、ＯＬＴは、ＯＮＵ登録中、ＵＥがアップストリームサービスを一時的に停止すること、およびアップストリームデータがＲＲＵおよびＯＮＵに到達しないことを保証するために、ＢＢＵから応答メッセージを受信した後にＯＮＵ登録を開始する。従って、ＯＮＵ登録に起因してデータがＢＢＵへタイムリーに送信され得ず、遅延がＢＢＵとＲＲＵとの間のインタフェースの遅延要件を超える場合が回避され、それに応じて、ＯＮＵ登録が遅延感応型サービスに影響を及ぼすという問題が解決される。これにより、ＰＯＮシステムがモバイルベアラシステムに適用される場合でもサービス送信要件は依然として満たされ得、ユーザ満足度が向上する。
【００１２】
第２の設計解決手段において、別の登録方法が提供され、モバイルベアラシステムにおけるネットワーク側デバイスに適用される。ネットワーク側デバイスは、ベースバンドユニット（ＢＢＵ）と、ＢＢＵに接続された光回線終端装置（ＯＬＴ）とを含む。  方法は、
ＢＢＵが、ＯＬＴにより送信された登録要求メッセージを受信する段階と、
ＢＢＵが、登録要求メッセージに基づいて、ユーザ機器デバイスへの帯域幅リソースの割り当てを一時的に停止する段階と
を含む。
【００１３】
設計解決手段に基づいて、可能な設計において、登録要求メッセージは、ＯＮＵ登録に必要とされるサイレントウィンドウのサイズを含む。
【００１４】
設計解決手段に基づいて、別の可能な設計において、方法は、
ＢＢＵが、ＯＮＵ登録に必要とされるサイレントウィンドウのサイズに基づいて、ＯＮＵ登録開始時刻を決定する段階と、
決定したＯＮＵ登録開始時刻をＯＬＴへ送信する段階と
をさらに含む。
【００１５】
設計解決手段に基づいて、可能な設計において、方法は、
ＢＢＵが、ＢＢＵにより決定されたＯＮＵ登録応答識別子をＯＬＴへ送信する段階
をさらに含み、
ＯＮＵ登録応答識別子は、ＯＬＴがＯＮＵ登録応答メッセージを受信した後にＯＮＵ登録を実行し得るかどうか、を識別するために用いられる。
【００１６】
この設計解決手段において、ＯＬＴは、ＯＮＵ登録要求メッセージをＢＢＵへ送信し、ＢＢＵは、ＯＮＵ登録要求メッセージを受信した後に、ユーザ機器デバイスへの帯域幅リソースの割り当てを一時的に停止し、ＯＬＴは、ＯＮＵ登録中、ＵＥがアップストリームサービスを一時的に停止すること、およびアップストリームデータがＲＲＵおよびＯＮＵに到達しないことを保証するために、ＢＢＵから応答メッセージを受信した後にＯＮＵ登録を開始する。従って、ＯＮＵ登録に起因してデータがＢＢＵへタイムリーに送信され得ず、遅延がＢＢＵとＲＲＵとの間のインタフェースの遅延要件を超える場合が回避され、それに応じて、ＯＮＵ登録が遅延感応型サービスに影響を及ぼすという問題が解決される。これにより、ＰＯＮシステムがモバイルベアラシステムに適用される場合でもサービス送信要件は依然として満たされ得、ユーザ満足度が向上する。
【００１７】
第３の設計解決手段において、登録方法が提供され、モバイルベアラシステムに適用される。  方法は、
光回線終端装置（ＯＬＴ）が、ベースバンドユニット（ＢＢＵ）により送信されたサブフレーム構成情報を受信する段階と、
ＯＬＴが、受信したサブフレーム構成情報に基づいて、光ネットワークユニット登録（ＯＮＵ登録）のために用いられるタイムスロットを計算する段階と、
ＯＬＴが、計算したタイムスロットに基づいて、ＯＮＵ登録を開始する段階と
を含む。
【００１８】
第３の設計解決手段に基づいて、ＯＬＴが、受信したサブフレーム構成情報に基づいて、ＯＮＵ登録のために用いられるタイムスロットを計算する段階は、具体的には、
ＯＬＴが、ダウンリンクサブフレームの構成情報に対応する、サブフレーム構成情報中のタイムスロットを計算する段階と、
ＯＬＴが、計算したタイムスロットを、ＯＮＵ登録のために用いられるタイムスロットとして選択する段階と
を含む。
【００１９】
第３の設計解決手段に基づいて、ＯＬＴは、受信したサブフレーム構成情報と、モニタリングしたダウンストリームデータ分配ステータスおよび／またはアップストリームデータ分配ステータスとに基づいて、ＢＢＵにより提供されるサブフレーム構成情報を用いることにより、光ネットワークユニット登録（ＯＮＵ登録）のために用いられるタイムスロットを計算して、遅延感応型サービスに対するＯＮＵ登録の影響を回避しつつダウンリンクサブフレームの、ＢＢＵのサブフレーム構成情報中の送信タイムスロットを用いることにより、ＯＮＵ登録を実行する。これにより、アップストリームサービスデータの送信レートが向上すると共に、サイレントウィンドウが終了した後にのみ、登録されたＯＮＵがアップストリームサービスデータを送信し得るので、アップストリームサービスデータの送信中に比較的大きい遅延が存在し、結果的に、遅延感応型サービスのシステム遅延要件が満たされ得ない、という問題が解決される。
【００２０】
第４の設計解決手段において、登録方法が提供され、モバイルベアラシステムにおけるネットワーク側デバイスに適用される。ネットワーク側デバイスは、クラウドコントローラと、ベースバンドユニット（ＢＢＵ）と、ＢＢＵに接続された光回線終端装置（ＯＬＴ）とを含む。  方法は、
クラウドコントローラがＯＮＵ登録開始時刻を決定する段階と、
クラウドコントローラが、ＯＮＵ登録開始時刻に基づいて、ユーザ機器デバイスへの帯域幅リソースの割り当てを一時的に停止するようＢＢＵに命令する段階と
を含む。
【００２１】
第４の設計解決手段に基づいて、可能な設計において、クラウドコントローラがＯＮＵ登録開始時刻を決定する段階は、具体的には、
クラウドコントローラが、ＯＮＵ登録期間と、ＯＮＵ登録に必要とされるサイレントウィンドウのサイズとを含む、ＯＮＵ登録を開始するための命令を受信する段階と、
ＯＮＵ登録命令中の、ＯＮＵ登録期間と、ＯＮＵ登録に必要とされるサイレントウィンドウのサイズとに基づいて、ＯＮＵ登録開始時刻を決定する段階を含む。
【００２２】
この設計解決手段において、クラウドコントローラは、ＯＬＴおよびＢＢＵのリソースを一元的に割り当ておよびスケジューリングすることで、遅延感応型サービスに対するＯＮＵ登録の影響を回避しつつ、アップストリームサービスデータの送信レートを向上させる。これにより、サイレントウィンドウが終了した後にのみ、登録されたＯＮＵがアップストリームサービスデータを送信し得るので、アップストリームサービスデータの送信中に比較的大きい遅延が存在し、結果的に、遅延感応型サービスのシステム遅延要件が満たされ得ない、という問題が解決される。
【００２３】
第５の設計解決手段において、ネットワーク側デバイスが提供される。  ネットワーク側デバイスは、
光ネットワークユニット登録要求メッセージ（ＯＮＵ登録要求メッセージ）をベースバンドユニット（ＢＢＵ）へ送信し、かつ、ＢＢＵから応答メッセージを受信するように構成される送受信機と、
送受信機がＢＢＵから応答メッセージを受信した後にＯＮＵ登録を開始するように構成されるプロセッサと
を含む。
【００２４】
この設計解決手段において、ＯＬＴは、ＯＮＵ登録要求メッセージをＢＢＵへ送信し、ＢＢＵは、ＯＮＵ登録要求メッセージを受信した後に、ユーザ機器デバイスへの帯域幅リソースの割り当てを一時的に停止し、ＯＬＴは、ＯＮＵ登録中、ＵＥがアップストリームサービスを一時的に停止すること、およびアップストリームデータがＲＲＵおよびＯＮＵに到達しないことを保証するために、ＢＢＵから応答メッセージを受信した後にＯＮＵ登録を開始する。従って、ＯＮＵ登録に起因してデータがＢＢＵへタイムリーに送信され得ず、遅延がＢＢＵとＲＲＵとの間のインタフェースの遅延要件を超える場合が回避され、それに応じて、ＯＮＵ登録が遅延感応型サービスに影響を及ぼすという問題が解決される。これにより、ＰＯＮシステムがモバイルベアラシステムに適用される場合でもサービス送信要件は依然として満たされ得、ユーザ満足度が向上する。
【００２５】
第５の設計解決手段に基づいて、可能な設計解決手段において、登録要求は、ＯＮＵ登録に必要とされるサイレントウィンドウのサイズを含む。
【００２６】
第５の設計解決手段に基づいて、別の可能な設計解決手段において、ＢＢＵの応答メッセージは、ＢＢＵにより決定されたＯＮＵ登録応答識別子を含む。
【００２７】
第５の設計解決手段に基づいて、別の可能な設計解決手段において、送受信機はさらに、ＯＮＵ登録完了メッセージをＢＢＵへ送信するように構成される。
【００２８】
第６の設計解決手段において、ネットワーク側デバイスが提供される。
ネットワーク側デバイスは、
ＯＬＴにより送信された登録要求メッセージを受信するように構成される送受信機と、
登録要求メッセージに基づいて、ユーザ機器デバイスへの帯域幅リソースの割り当てを一時的に停止するように構成されるコントローラと
を含む。
【００２９】
この設計解決手段において、ＯＬＴは、ＯＮＵ登録要求メッセージをベースバンドユニット（ＢＢＵ）へ送信し、ＢＢＵは、ＯＮＵ登録要求メッセージを受信した後に、ユーザ機器デバイスへの帯域幅リソースの割り当てを一時的に停止し、ＯＬＴは、ＯＮＵ登録中、ＵＥがアップストリームサービスを一時的に停止すること、およびアップストリームデータがＲＲＵおよびＯＮＵに到達しないことを保証するために、ＢＢＵから応答メッセージを受信した後にＯＮＵ登録を開始する。従って、ＯＮＵ登録に起因してデータがＢＢＵへタイムリーに送信され得ず、遅延がＢＢＵとＲＲＵとの間のインタフェースの遅延要件を超える場合が回避され、それに応じて、ＯＮＵ登録が遅延感応型サービスに影響を及ぼすという問題が解決される。これにより、ＰＯＮシステムがモバイルベアラシステムに適用される場合でもサービス送信要件は依然として満たされ得、ユーザ満足度が向上する。
【００３０】
第６の設計解決手段に基づいて、可能な設計解決手段において、登録要求メッセージは、ＯＮＵ登録に必要とされるサイレントウィンドウのサイズを含む。
【００３１】
第６の設計解決手段に基づいて、別の可能な設計解決手段において、
コントローラはさらに、ＯＮＵ登録に必要とされるサイレントウィンドウのサイズに基づいて、ＯＮＵ登録開始時刻を決定するように構成され、
送受信機はさらに、決定したＯＮＵ登録開始時刻をＯＬＴへ送信するように構成される。
【００３２】
第６の設計解決手段に基づいて、別の可能な設計解決手段において、送受信機はさらに、ＢＢＵにより決定されたＯＮＵ登録応答識別子をＯＬＴへ送信するように構成される。ＯＮＵ登録応答識別子は、ＯＬＴがＯＮＵ登録応答メッセージを受信した後にＯＮＵ登録を実行し得るかどうか、を識別するために用いられる。
【００３３】
第７の設計解決手段において、ネットワーク側デバイスが提供される。ネットワーク側デバイスは、ベースバンドユニット（ＢＢＵ）により送信されたサブフレーム構成情報を受信するように構成される送受信機と、受信したサブフレーム構成情報に基づいて、光ネットワークユニット（ＯＮＵ）登録のために用いられるタイムスロットを計算し、かつ、計算したタイムスロットに基づいてＯＮＵ登録を開始するように構成されるコントローラとを含む。
【００３４】
第７の設計解決手段に基づいて、ＯＬＴは、受信したサブフレーム構成情報と、モニタリングしたダウンストリームデータ分配ステータスおよび／またはアップストリームデータ分配ステータスとに基づいて、ＢＢＵにより提供されるサブフレーム構成情報を用いることにより、光ネットワークユニット登録（ＯＮＵ登録）のために用いられるタイムスロットを計算して、遅延感応型サービスに対するＯＮＵ登録の影響を回避しつつダウンリンクサブフレームの、ＢＢＵのサブフレーム構成情報中の送信タイムスロットを用いることにより、ＯＮＵ登録を実行する。これにより、アップストリームサービスデータの送信レートが向上すると共に、サイレントウィンドウが終了した後にのみ、登録されたＯＮＵがアップストリームサービスデータを送信し得るので、アップストリームサービスデータの送信中に比較的大きい遅延が存在し、結果的に、遅延感応型サービスのシステム遅延要件が満たされ得ない、という問題が解決される。
【００３５】
第７の設計解決手段に基づいて、可能な設計において、コントローラは、具体的には、ダウンリンクサブフレームの構成情報に対応する、サブフレーム構成情報中のタイムスロットを計算し、かつ、計算したタイムスロットを、ＯＮＵ登録のために用いられるタイムスロットとして選択するように構成される。
【００３６】
第８の設計解決手段において、ネットワーク側デバイスが提供される。ネットワーク側デバイスは、ＯＮＵ登録開始時刻を決定するように構成される計算ユニットと、ＯＮＵ登録開始時刻に基づいて、ユーザ機器デバイスへの帯域幅リソースの割り当てを一時的に停止するように構成される処理ユニットとを含む。
【００３７】
この設計解決手段において、ネットワーク側デバイスは、ＯＬＴおよびＢＢＵのリソースを一元的に割り当ておよびスケジューリングすることで、遅延感応型サービスに対するＯＮＵ登録の影響を回避しつつ、アップストリームサービスデータの送信レートを向上させる。これにより、サイレントウィンドウが終了した後にのみ、登録されたＯＮＵがアップストリームサービスデータを送信し得るので、アップストリームサービスデータの送信中に比較的大きい遅延が存在し、結果的に、遅延感応型サービスのシステム遅延要件が満たされ得ない、という問題が解決される。
【００３８】
計第８の設計解決手段に基づいて、可能な設計において、計算ユニットは、具体的には、ＯＮＵ登録期間と、ＯＮＵ登録に必要とされるサイレントウィンドウのサイズとを含む、ＯＮＵ登録を開始するための命令を受信し、かつ、ＯＮＵ登録命令中の、ＯＮＵ登録期間と、ＯＮＵ登録に必要とされるサイレントウィンドウのサイズとに基づいて、ＯＮＵ登録開始時刻を決定するように構成される。
【００３９】
第９の設計解決手段において、データ通信システムが提供される。システムは、ベースバンドユニット（ＢＢＵ）と、遠隔無線ユニット（ＲＲＵ）と、ＢＢＵに接続された光回線終端装置（ＯＬＴ）と、ＲＲＵに接続された光ネットワークユニット（ＯＮＵ）とを含む。ＯＬＴは、光分配ネットワーク（ＯＤＮ）を用いることにより、各ＯＮＵに接続される。ＯＬＴは、第５の設計解決手段において説明されるネットワーク側デバイスを含み、ＢＢＵは、第６の設計解決手段において説明されるネットワーク側デバイスを含む。または、ＯＬＴは、第７の設計解決手段において説明されるネットワーク側デバイスを含み、ＢＢＵは、第８の設計解決手段において説明されるネットワーク側デバイスを含む。
【００４０】
この設計解決手段において、ＯＬＴは、ＯＮＵ登録要求メッセージをベースバンドユニットＢＢＵへ送信し、ＢＢＵは、ＯＮＵ登録要求メッセージを受信した後に、ユーザ機器デバイスへの帯域幅リソースの割り当てを一時的に停止し、ＯＬＴは、ＯＮＵ登録中、ＵＥがアップストリームサービスを一時的に停止すること、およびアップストリームデータがＲＲＵおよびＯＮＵに到達しないことを保証するために、ＢＢＵから応答メッセージを受信した後にＯＮＵ登録を開始する。従って、ＯＮＵ登録に起因してデータがＢＢＵへタイムリーに送信され得ず、遅延がＢＢＵとＲＲＵとの間のインタフェースの遅延要件を超える場合が回避され、それに応じて、ＯＮＵ登録が遅延感応型サービスに影響を及ぼすという問題が解決される。これにより、ＰＯＮシステムがモバイルベアラシステムに適用される場合でもサービス送信要件は依然として満たされ得、ユーザ満足度が向上する。
【００４１】
第１０の設計解決手段において、データ通信システムが提供される。システムは、クラウドコントローラと、ベースバンドユニット（ＢＢＵ）と、遠隔無線ユニット（ＲＲＵ）と、ＢＢＵに接続された光回線終端装置（ＯＬＴ）と、ＲＲＵに接続された光ネットワークユニット（ＯＮＵ）とを含む。ＯＬＴは、光分配ネットワーク（ＯＤＮ）を用いることにより、各ＯＮＵに接続される。
【００４２】
クラウドコントローラは、ＯＮＵ登録開始時刻を決定し、かつ、ＯＮＵ登録開始時刻に基づいて、ユーザ機器デバイスへの帯域幅リソースの割り当てを一時的に停止するようＢＢＵに命令するように構成される。
【００４３】
ＢＢＵは、クラウドコントローラの命令に基づいて、ユーザ機器デバイスへの帯域幅リソースの割り当てを一時的に停止するように構成される。
【００４４】
この設計解決手段において、クラウドコントローラは、ＯＬＴおよびＢＢＵのリソースを一元的に割り当ておよびスケジューリングすることで、遅延感応型サービスに対するＯＮＵ登録の影響を回避しつつ、アップストリームサービスデータの送信レートを向上させる。これにより、サイレントウィンドウが終了した後にのみ、登録されたＯＮＵがアップストリームサービスデータを送信し得るので、アップストリームサービスデータの送信中に比較的大きい遅延が存在し、結果的に、遅延感応型サービスのシステム遅延要件が満たされ得ない、という問題が解決される。
【図面の簡単な説明】
【００４５】
【図１】本願の実施形態によるデータ通信システムのシステムアーキテクチャの図である。
【００４６】
【図１ａ】本願の別の実施形態によるデータ通信システムのシステムアーキテクチャの図である。
【００４７】
【図２】本願の第１の実施形態による登録方法の概略フローチャートである。
【００４８】
【図３】本願の第２の実施形態による登録方法の概略フローチャートである。
【００４９】
【図４】本願の第３の実施形態による登録方法の概略フローチャートである。
【００５０】
【図５】本願の第４の実施形態による登録方法の概略フローチャートである。
【００５１】
【図６】本願の第５の実施形態による登録方法の概略フローチャートである。
【００５２】
【図７】本願の第６の実施形態による登録方法の概略フローチャートである。
【００５３】
【図８】本願の実施形態による第１のネットワーク側デバイスの概略構造図である。
【００５４】
【図９】本願の実施形態による第２のネットワーク側デバイスの概略構造図である。
【００５５】
【図１０】本願の実施形態による第３のネットワーク側デバイスの概略構造図である。
【００５６】
【図１１】本願の実施形態による第４のネットワーク側デバイスの概略構造図である。
【００５７】
【図１２】本願の実施形態による第５のネットワーク側デバイスの概略構造図である。
【発明を実施するための形態】
【００５８】
本願の目的、技術的解決手段および利点をより明確にするために、以下では、添付の図面を参照して、本願の実装を詳細にさらに説明する。
【００５９】
本明細書において言及される「複数の」は、２以上を意味する。「および／または」という用語は、関連対象物を説明するための対応関係を説明し、３つの関係が存在し得ることを表す。例えば、Ａおよび／またはＢは、以下の３つの場合を表し得る。すなわち、Ａのみが存在すること、ＡおよびＢの両方が存在すること、およびＢのみが存在することである。「／」という文字は概して、関連対象物間の「または」の関係を示す。
【００６０】
図１は、本願の実施形態によるデータ通信システムのシステムアーキテクチャの図である。データ通信システムは、ベースバンドユニット（Ｂａｓｅｂａｎｄ  Ｕｎｉｔ、ＢＢＵ）、光回線終端装置（Ｏｐｔｉｃａｌ  Ｌｉｎｅ  Ｔｅｒｍｉｎａｌ、ＯＬＴ）、光ネットワークユニット（Ｏｐｔｉｃａｌ  Ｎｅｔｗｏｒｋ  Ｕｎｉｔ、ＯＮＵ）、遠隔無線ユニット（Ｒｅｍｏｔｅ  Ｒａｄｉｏ  Ｕｎｉｔ、ＲＲＵ）およびユーザ機器デバイスを含む。受動光ネットワーク（Ｐａｓｓｉｖｅ  Ｏｐｔｉｃａｌ  Ｎｅｔｗｏｒｋ、ＰＯＮ）システムは、ＯＬＴおよびＯＮＵを含む。ＯＬＴは、当該システムにおける中央局デバイスであり、例えば、中央局（Ｃｅｎｔｒａｌ  Ｏｆｆｉｃｅ、ＣＯ）に位置し、ＯＮＵ登録、帯域幅割り当ておよびダウンストリームデータ送信などの機能を提供する。ＯＮＵは、端末側に位置するデバイスである。以下に言及される全てのＯＮＵは、光ネットワーク端末（Ｏｐｔｉｃａｌ  Ｎｅｔｗｏｒｋ  Ｔｅｒｍｉｎａｌ、ＯＮＴ）に適用され得る。ＯＬＴは、光分配ネットワーク（Ｏｐｔｉｃａｌ  Ｄｉｓｔｒｉｂｕｔｉｏｎ  Ｎｅｔｗｏｒｋ、ＯＤＮ）を用いることにより各ＯＮＵに接続される。ＯＬＴは、フィーダファイバを用いることによりＯＤＮに接続され、ＯＤＮは、分配ファイバを用いることにより各ＯＮＵに接続される。
【００６１】
モバイルベアラシステムは、基地局およびユーザ機器デバイスを含む。図１は、ＰＯＮシステムがモバイルベアラに適用されるシナリオにおいて形成されるシステムアーキテクチャを示す。基地局は、ＢＢＵおよびＲＲＵを含む。ＢＢＵは、機器室において中央に配置されるが、ＲＲＵは依然として、電柱または屋根の筐体内に留っている。ＢＢＵが中央に配置された後、ＢＢＵとＲＲＵとの間のインタフェースは、共通公衆無線インタフェース（Ｃｏｍｍｏｎ  Ｐｕｂｌｉｃ  Ｒａｄｉｏ  Ｉｎｔｅｒｆａｃｅ、ＣＰＲＩ）、オープン・ベースステーション・アーキテクチャ・イニシアチブ（Ｏｐｅｎ  Ｂａｓｅ  Ｓｔａｔｉｏｎ  Ａｒｃｈｉｔｅｃｔｕｒｅ  Ｉｎｉｔｉａｔｉｖｅ、ＯＢＡＳＩ）等を含む。ＣＰＲＩは、基地局により用いられる主流のインタフェースである。技術の発展に伴い、ＢＢＵとＲＲＵとの間の次世代フロントホールインタフェース（Ｎｅｘｔ−Ｇｅｎｅｒａｔｉｏｎ  Ｆｒｏｎｔｈａｕｌ  Ｉｎｔｅｒｆａｃｅ、ＮＧＦＩ）の使用が、ＢＢＵとＲＲＵとの間の帯域幅を減少させ、統計的な多重化がサポートされ得るようにしつつ、ＢＢＵとＲＲＵとの間のインタフェースがイーサネット（登録商標）インタフェースになるようにＢＢＵとＲＲＵとの間のインタフェースを再分割するために、現在、業界内で模索されている。このように、帯域幅は、アンテナの数およびキャリアの数とは無関係であるが、ユーザ機器（ＵＥ）の実際のサービストラフィックに依存する。
【００６２】
図１に示されるように、ネットワーク側に位置するデバイスは、ＢＢＵおよびＯＬＴを含む。ＯＬＴは、ＢＢＵに接続される。ユーザ側に位置するデバイスは、ＯＮＵ、ＲＲＵおよびＵＥを含む。光分配ネットワークを用いることにより、ＯＮＵはＲＲＵに接続され、ＵＥはＲＲＵに無線でアクセスし、ＯＬＴは各ＯＮＵに接続される。
【００６３】
図１に示されるＰＯＮシステムは、ＥＰＯＮシステムまたはＧＰＯＮシステムであり得るか、１０ＧのＥＰＯＮシステムまたは１００ＧのＥＰＯＮシステムであり得るか、または、ＸＧ−ＰＯＮシステム、ＸＧＳ−ＰＯＮシステムまたはＴＷＤＭ−ＰＯＮシステムであり得ることが留意されるべきである。このことは、本願の本実施形態において限定されない。
【００６４】
以下で説明される様々な登録方法は、図１における前述のシステムに適用可能である。
【００６５】
図２は、モバイルベアラシステムに適用される登録方法を示すと共に、図１における前述のシステムアーキテクチャに適用される本願の実施形態を示す。モバイルベアラシステムは、図１に示されるデータ通信システムである。モバイルベアラシステムの構造および接続関係の両方が図１に示される。
【００６６】
方法は、以下の段階を含む。
【００６７】
Ｓ２００。ＯＬＴがＯＮＵ登録要求メッセージをＢＢＵへ送信する。
【００６８】
具体的には、ＯＬＴがＯＮＵ登録のためにサイレントウィンドウを開く必要がある場合、ＯＬＴは、ＯＮＵ登録要求メッセージをＢＢＵへ送信する。
【００６９】
ＯＮＵ登録要求メッセージは、ＯＮＵ登録のために用いられるメッセージである。ＢＢＵとＲＲＵとの間のシステムがＧＰＯＮシステムである場合、ＯＮＵ登録要求メッセージは、ＯＮＵのアクティブ化を要求するためのメッセージであり得る。ＢＢＵとＲＲＵとの間のシステムがＥＰＯＮシステムである場合、ＯＮＵ登録要求メッセージは、ＯＮＵの発見を要求するためのメッセージであり得る。
【００７０】
ＯＮＵ登録要求メッセージのメッセージフォーマットは、ＧＰＯＮシステムまたはＥＰＯＮシステムなどの様々なＰＯＮシステムにおける規格に記録されたメッセージフォーマット、例えば、オペレーション、管理および保守（Ｏｐｅｒａｔｉｏｎ，  Ａｄｍｉｎｉｓｔｒａｔｉｏｎ，  ａｎｄ  Ｍａｉｎｔｅｎａｎｃｅ、ＯＡＭ）メッセージ、物理層オペレーション、管理および保守（Ｐｈｙｓｉｃａｌ  Ｌａｙｅｒ  ＯＡＭ、ＰＬＯＡＭ）メッセージ、光ネットワーク端末管理および制御インタフェース（ｏｐｔｉｃａｌ  ｎｅｔｗｏｒｋ  ｔｅｒｍｉｎａｌ  ｍａｎａｇｅｍｅｎｔ  ａｎｄ  ｃｏｎｔｒｏｌ  ｉｎｔｅｒｆａｃｅ、ＯＭＣＩ）メッセージであり得るか、無線フィールドにおけるモバイルベアラシステムの規格において指定される様々なメッセージフォーマットであり得るか、または、別のカスタマイズされたメッセージフォーマットであり得る。本明細書において用いられるメッセージフォーマットは、限定されない。加えて、これらのメッセージフォーマットは、以下の様々な実施形態にも適用され得る。
【００７１】
任意選択的に、登録要求メッセージは、前述の様々なメッセージのうちのいずれか１つであり得、メッセージコンテンツは、ＯＮＵ登録に必要とされるサイレントウィンドウのサイズを含み得る。
【００７２】
メッセージコンテンツは、ＯＬＴ識別子、ＢＢＵ識別子、メッセージタイプおよびＯＮＵ登録期間のうちの１つまたは複数をさらに含み得る。ＯＮＵ登録期間は、秒または分の単位で表され得る。例えば、ＯＬＴがＯＮＵ登録を１０秒毎に実行する場合、ＯＮＵ登録期間は１０秒である。
【００７３】
ＯＮＵ登録に必要とされるサイレントウィンドウのサイズは、ＯＬＴとＯＮＵとの間の光ファイバの長さに基づいて決定され得る。例えば、ＯＬＴとＯＮＵとの間の光ファイバの最大長が２０ｋｍである場合、ＯＮＵ登録に必要とされるサイレントウィンドウのサイズは通常、２５０マイクロ秒である。
【００７４】
Ｓ２０２。ＢＢＵが、ＯＬＴにより送信された登録要求メッセージを受信する。
【００７５】
Ｓ２０４。ＢＢＵが、登録要求メッセージに基づいて、ユーザ機器デバイスへの帯域幅リソースの割り当てを一時的に停止する。
【００７６】
具体的には、ＢＢＵは、ＯＬＴにより送信されたＯＮＵ登録要求を受信した後に、リソース割り当てメカニズムを調整する。ＯＮＵ登録が始まった場合、ＢＢＵは、ＵＥへのリソースの割り当てを一時的に停止する、具体的には、ＵＥのアップストリームサービスを一時的に停止する。
【００７７】
任意選択的に、ＯＬＴにより送信されたＯＮＵ登録要求を受信した後、ＢＢＵは、直ちにリソース割り当てを変調してＵＥへのリソースの割り当てを一時的に停止し得る、具体的には、ＵＥのアップストリームサービスを一時的に停止し得るか、または、ある期間の遅延の後に、リソース割り当てを調整してＵＥへのリソースの割り当てを一時的に停止し得る、具体的には、ＵＥのアップストリームサービスを一時的に停止し得る。
【００７８】
任意選択的に、ＢＢＵは、ＯＬＴにより送信されたＯＮＵ登録要求を受信した後に、現在のサービスステータスを評価し得る。救急サービスが現在利用できない場合、ＢＢＵは、リソース割り当てを調整してＵＥへのリソースの割り当てを一時的に停止し得る、具体的には、ＵＥのアップストリームサービスを一時的に停止し得る。救急サービスが現在利用できる場合、ＢＢＵは、ＵＥへのリソースの割り当てを続け、ＯＬＴからのＯＮＵ登録要求を拒否し、ＯＮＵ登録を拒否するためのＯＮＵ登録応答メッセージを生成し得る。
【００７９】
任意選択的に、ＢＢＵは、登録要求における、ＯＮＵ登録期間と、ＯＮＵ登録に必要とされるサイレントウィンドウのサイズとに基づいてＯＮＵ登録開始時刻を決定すると共に、決定されたＯＮＵ登録開始時刻と、ＯＮＵ登録期間と、ＯＮＵ登録に必要とされるサイレントウィンドウのサイズとをＯＬＴに送信する。
【００８０】
Ｓ２０６。ＢＢＵがＯＮＵ登録応答メッセージをＯＬＴへ送信する。
【００８１】
ＯＮＵ登録応答メッセージのメッセージフォーマットは、ＧＰＯＮまたはＥＰＯＮなどの様々なＰＯＮシステムにおける規格に記録されたメッセージフォーマット、例えば、オペレーション、管理および保守（Ｏｐｅｒａｔｉｏｎ，  Ａｄｍｉｎｉｓｔｒａｔｉｏｎ，  ａｎｄ  Ｍａｉｎｔｅｎａｎｃｅ、ＯＡＭ）メッセージ、物理層オペレーション、管理および保守（Ｐｈｙｓｉｃａｌ  Ｌａｙｅｒ  ＯＡＭ、ＰＬＯＡＭ）メッセージ、光ネットワーク端末管理および制御インタフェース（ｏｐｔｉｃａｌ  ｎｅｔｗｏｒｋ  ｔｅｒｍｉｎａｌ  ｍａｎａｇｅｍｅｎｔ  ａｎｄ  ｃｏｎｔｒｏｌ  ｉｎｔｅｒｆａｃｅ、ＯＭＣＩ）メッセージであり得るか、無線フィールドにおけるモバイルベアラシステムの規格において指定される様々なメッセージフォーマットであり得るか、または、別のカスタマイズされたメッセージフォーマットであり得る。本明細書において用いられるメッセージフォーマットは、限定されない。加えて、これらのメッセージフォーマットは、以下の様々な実施形態にも適用され得る。
【００８２】
任意選択的に、ＯＮＵ登録応答メッセージは、前述の様々なメッセージのうちのいずれか１つであり得、メッセージコンテンツは、ＯＮＵ登録応答識別子および／またはＯＮＵ登録開始時刻を含む。
【００８３】
具体的には、ＢＢＵは、ＯＮＵ登録に必要とされるサイレントウィンドウのサイズと、現在のサービスステータスとに基づいて、ＯＬＴがＯＮＵ登録を実行することを可能にすべきかどうかを判断すると共に、ＯＮＵ登録応答識別子を生成する。ＯＮＵ登録応答識別子は、ＯＬＴがＯＮＵ登録応答メッセージを受信した後にＯＮＵ登録を実行し得るかどうか、を識別するために用いられ得る。さらに、ＢＢＵは、ＯＮＵ登録に必要とされるサイレントウィンドウのサイズと、現在のサービスステータスとに基づいて、ＯＮＵ登録開始時刻を決定する。
【００８４】
ＯＮＵ登録応答メッセージは、ＢＢＵ識別子と、ＯＬＴ識別子と、メッセージタイプと、ＯＮＵ登録期間と、ＯＮＵ登録に必要とされるサイレントウィンドウのサイズとのうちの１つまたは複数をさらに含み得る。
【００８５】
任意選択的に、一連の段階Ｓ２０４および段階Ｓ２０６は、交換可能であり得る。具体的には、ＢＢＵは、まず、ＯＮＵ登録応答メッセージをＯＬＴへ送信し、次に、ＯＮＵ登録が始まった場合、ＯＮＵ登録要求メッセージおよびＯＮＵ登録応答メッセージに基づいて、ユーザ機器デバイスへの帯域幅リソースの割り当てを一時的に停止する。
【００８６】
Ｓ２０８：ＯＬＴが、ＢＢＵから応答メッセージを受信した後に、ＯＮＵ登録を開始する。
【００８７】
ＯＬＴおよびＯＮＵは、ＴＤＭ−ＰＯＮ動作メカニズムを用いる。ＯＬＴは、ＯＮＵ登録を実行する場合、サイレントウィンドウを開く。距離が不明な新しいＯＮＵが別のＯＮＵのアップストリームデータの送信に影響を及ぼすことなく発見されてＰＯＮシステムにスムーズに登録されるように、サイレントウィンドウは、新たにアクセスされたＯＮＵを登録するために、ＯＬＴにより用いられる。サイレントウィンドウ内で、全てのオンラインＯＮＵは、アップストリームデータの送信を停止する必要がある。全てのオンラインＯＮＵがアップストリームデータの送信を停止していない場合、新しいＯＮＵによりＯＬＴへ送信された登録応答パケットは、オンラインＯＮＵのアップストリーム送信パケットと競合し得る。サイレントウィンドウをどのように指定するかについての詳細に関しては、ＧＰＯＮシリーズ規格および／またはＥＰＯＮシリーズ規格を参照されたい。これは、本願の本実施形態において限定されない。
【００８８】
ＯＮＵ登録プロセスは、ＯＮＵのユーザ情報の取得と、ＯＮＵへの識別子の割り当てと、ＲＴＴの測定とを含む。プロセスは、具体的には以下のとおりである。すなわち、ＯＬＴがＯＮＵ登録要求メッセージを受信し、ＯＮＵのユーザ情報を取得する。例えば、ＧＰＯＮシステムにおいて、ＯＬＴは、ＯＮＵのシリアル番号（Ｓｅｒｉａｌ  Ｎｕｍｂｅｒ、ＳＮＲ）を取得する。ＥＰＯＮシステムにおいて、ＯＬＴは、ＯＮＵのメディアアクセス制御（Ｍｅｄｉａ  Ａｃｃｅｓｓ  Ｃｏｎｔｒｏｌ、ＭＡＣ）アドレスを取得し、識別子をＯＮＵに割り当てる。ＯＮＵの識別子は、ＯＮＵ識別子（Ｉｄｅｎｔｉｆｉｅｒ、ＩＤ）または論理リンク識別子（Ｌｏｇｉｃａｌ  Ｌｉｎｋ  Ｉｄｅｎｔｉｆｉｅｒ、ＬＬＩＤ）を含む。具体的には、ギガビット対応型受動光ネットワーク（Ｇｉｇａｂｉｔ−Ｃａｐａｂｌｅ  Ｐａｓｓｉｖｅ  Ｏｐｔｉｃａｌ  Ｎｅｔｗｏｒｋ、ＧＰＯＮ）システムにおいて、ＯＬＴは、ＯＮＵ登録に必要とされるサイレントウィンドウを開くことにより、新たに追加されたＯＮＵデバイスにより送信された登録要求パケットを受信して、登録要求パケットにおいて保持されるシリアル番号（Ｓｅｒｉａｌ  Ｎｕｍｂｅｒ、ＳＮＲ）に基づいて、ＯＮＵ  ＩＤを割り当て、さらに、新たに追加されたＯＮＵデバイスに対して範囲設定を完了する。イーサネット（登録商標）受動光ネットワーク（Ｅｔｈｅｒｎｅｔ  Ｐａｓｓｉｖｅ  Ｏｐｔｉｃａｌ  Ｎｅｔｗｏｒｋ、ＥＰＯＮ）システムにおいて、ＯＬＴデバイスは、登録応答パケットにおいて保持される、ＥＰＯＮ規格において指定されたメディアアクセス制御（Ｍｅｄｉａ  Ａｃｃｅｓｓ  Ｃｏｎｔｒｏｌ、ＭＡＣ）アドレスに基づいてＬＬＩＤを新たに追加されたＯＮＵデバイスへ割り当てるために、サイレントウィンドウを開くことにより、新たに追加されたＯＮＵデバイスにより送信された登録要求パケットを受信し、各ＯＮＵとＯＬＴとの間のラウンドトリップタイム（Ｒｏｕｎｄ  Ｔｒｉｐ  Ｔｉｍｅ、ＲＴＴ）を、計算および範囲設定を通して取得し、かつ、ユーザ端末デバイスの論理距離が同じになるように、指定された最も遠いＯＮＵ距離に基づいて、各ＯＮＵによるアップストリームデータの送信の予め均等化された遅延を設定し得る。従って、ユーザ端末のアップストリームバーストデータは、互いに競合することなく、ＯＬＴに順番に到達する。
【００８９】
ＯＮＵ登録が完了した後に、ＯＬＴが、動的帯域幅割り当て（Ｄｙｎａｍｉｃ  Ｂａｎｄｗｉｄｔｈ  Ａｌｌｏｃａｔｉｏｎ、ＤＢＡ）技術を用いることにより全てのＯＮＵのアップストリーム送信を一元的にスケジューリングする場合、各ユーザ端末は、中央局の許可に従って指定タイムスロット内でデータをＯＬＴへ送信して、ＯＮＵからＯＬＴへのアップストリーム方向におけるデータバーストの競合を効果的に解決する。
【００９０】
ＯＮＵ登録のより詳細なプロセスについては、ＧＰＯＮシリーズ規格および／またはＥＰＯＮシリーズ規格を参照されたい。このことは、本願の本実施形態において限定されない。
【００９１】
任意選択的に、ＯＬＴは、ＢＢＵにより送信された、ＯＮＵ登録を拒否するためのＯＮＵ登録応答メッセージを受信した後は、ＯＮＵ登録プロセスを実行せず、ある期間の遅延の後に、ＯＮＵ登録要求をＢＢＵへ改めて送信し得る。
【００９２】
Ｓ２１０．ＢＢＵがユーザ機器デバイスへのリソースの割り当てを再開する。
【００９３】
任意選択的に、以下の段階が含まれる。
【００９４】
Ｓ２０８．ＯＬＴが、ＯＮＵ登録プロセスを完了した後に、ＯＮＵ登録完了メッセージをＢＢＵへ送信する。
【００９５】
Ｓ２１０．ＢＢＵが、ＯＮＵ登録完了メッセージを受信した後に、ユーザ機器デバイスへのリソースの割り当てを再開する。
【００９６】
任意選択的に、ＢＢＵはさらに、ＯＮＵ登録開始時刻と、ＯＮＵ登録に必要とされるサイレントウィンドウのサイズとに基づいて、ユーザ機器デバイスへのリソースの割り当てを独立して再開し得る。具体的には、ＢＢＵは、ＯＮＵ登録開始時刻に、ユーザ機器デバイスへのリソースの割り当てを一時的に停止する。リソースの割り当てを一時的に停止する時間は、ＯＮＵ登録に必要とされるサイレントウィンドウのサイズと等しい。サイレントウィンドウが終了した後に、ＢＢＵは、ユーザ機器デバイスへのリソースの割り当てを再開する。
【００９７】
任意選択的に、ＯＮＵ登録を周期的に実行せよとの要求をＯＬＴがＢＢＵへ送信した場合、ＢＢＵは、決定したＯＮＵ登録開始時刻をＯＬＴへ送信した後に、決定したＯＮＵ登録開始時刻と、ＯＮＵ登録期間と、ＯＮＵ登録に必要とされるサイレントウィンドウのサイズとに基づいて、ＵＥへのリソースの割り当てを周期的に、一時的に停止し得、ＯＬＴは、決定したＯＮＵ登録開始時刻と、ＯＮＵ登録期間と、ＯＮＵ登録に必要とされるサイレントウィンドウのサイズとに基づいて、ＯＮＵ登録を周期的に実行し得る。
【００９８】
本実施形態において、ＯＬＴは、ＯＮＵ登録要求メッセージをＢＢＵへ送信し、ＢＢＵは、ＯＮＵ登録要求メッセージを受信した後に、ユーザ機器デバイスへの帯域幅リソースの割り当てを一時的に停止し、ＯＮＵ登録応答メッセージをＯＬＴへ送信し、ＯＬＴは、ＯＮＵ登録応答メッセージを受信した後に、ＯＮＵ登録中、ＵＥがアップストリームサービスを一時的に停止すること、およびアップストリームデータがＲＲＵおよびＯＮＵに到達しないことを保証するためにＯＮＵ登録を開始する。従って、ＯＮＵ登録に起因してデータがＢＢＵへタイムリーに送信され得ず、ＢＢＵとＲＲＵとの間の遅延がＢＢＵとＲＲＵとの間のインタフェースの遅延要件を超える場合が回避され、それに応じて、ＯＮＵ登録が遅延感応型サービスに影響を及ぼすという問題が解決される。これにより、ＰＯＮシステムがモバイルベアラシステムに適用される場合でもサービス送信要件は依然として満たされ得、ユーザ満足度が向上する。
【００９９】
前述の実施形態は、以下の２つの特定の実装に分割され得る。本明細書において説明される実施形態は、モバイルベアラ用の周波数分割複信（Ｆｒｅｑｕｅｎｃｙ  Ｄｉｖｉｓｉｏｎ  Ｄｕｐｌｅｘ、ＦＤＤ）無線システムまたは時分割複信（Ｔｉｍｅ  Ｄｉｖｉｓｉｏｎ  Ｄｕｐｌｅｘ、ＴＤＤ）無線システムに適用され得る。
【０１００】
第１の実施形態が図３に示される。図３は、登録方法のうちの１つのフローチャートである。
【０１０１】
Ｓ３００．ＯＬＴがＯＮＵ登録要求メッセージをＢＢＵへ送信する。
【０１０２】
具体的には、ＯＬＴがＯＮＵ登録のためにサイレントウィンドウを開ける必要がある場合、ＯＬＴは、ＯＮＵ登録要求メッセージをＢＢＵへ送信する。
【０１０３】
登録要求メッセージは、ＯＮＵ登録のために用いられるメッセージである。ＢＢＵとＲＲＵとの間のシステムがＧＰＯＮシステムである場合、ＯＮＵ登録要求メッセージは、ＯＮＵのアクティブ化を要求するためのメッセージであり得る。ＢＢＵとＲＲＵとの間のシステムがＥＰＯＮシステムである場合、ＯＮＵ登録要求メッセージは、ＯＮＵの発見を要求するためのメッセージであり得る。
【０１０４】
登録要求メッセージのメッセージフォーマットは、ＧＰＯＮシステムまたはＥＰＯＮシステムなどの様々なＰＯＮシステムにおける規格に記録されたメッセージフォーマット、例えば、オペレーション、管理および保守（Ｏｐｅｒａｔｉｏｎ，  Ａｄｍｉｎｉｓｔｒａｔｉｏｎ，  ａｎｄ  Ｍａｉｎｔｅｎａｎｃｅ、ＯＡＭ）メッセージ、物理層オペレーション、管理および保守（Ｐｈｙｓｉｃａｌ  Ｌａｙｅｒ  ＯＡＭ、ＰＬＯＡＭ）メッセージ、光ネットワーク端末管理および制御インタフェース（ｏｐｔｉｃａｌ  ｎｅｔｗｏｒｋ  ｔｅｒｍｉｎａｌ  ｍａｎａｇｅｍｅｎｔ  ａｎｄ  ｃｏｎｔｒｏｌ  ｉｎｔｅｒｆａｃｅ、ＯＭＣＩ）メッセージであり得るか、無線フィールドにおけるモバイルベアラシステムの規格において指定される様々なメッセージフォーマットであり得るか、または、別のカスタマイズされたメッセージフォーマットであり得る。本明細書において用いられるメッセージフォーマットは、限定されない。加えて、これらのメッセージフォーマットは、以下の様々な実施形態にも適用され得る。
【０１０５】
任意選択的に、登録要求メッセージは、前述の様々なメッセージのうちのいずれか１つであり得、メッセージコンテンツは、ＯＮＵ登録に必要とされるサイレントウィンドウのサイズを含み得る。
【０１０６】
ＯＮＵ登録に必要とされるサイレントウィンドウのサイズは、ＯＬＴとＯＮＵとの間の光ファイバの長さに基づいて決定され得る。例えば、ＯＬＴとＯＮＵとの間の光ファイバの最大長が２０ｋｍである場合、ＯＮＵ登録に必要とされるサイレントウィンドウのサイズは通常、２５０マイクロ秒である。
【０１０７】
メッセージコンテンツは、ＯＬＴ識別子、ＢＢＵ識別子およびメッセージタイプのうちの１つまたは複数をさらに含み得る。
【０１０８】
Ｓ３０２．ＢＢＵが、ＯＬＴにより送信されたＯＮＵ登録要求メッセージを受信した後に、ユーザ機器デバイスへのリソースの割り当てを一時的に停止する。
【０１０９】
具体的には、ＢＢＵは、ＯＬＴにより送信されたＯＮＵ登録要求メッセージを受信した後に、リソース割り当てメカニズムを調整する。ＯＮＵ登録が始まった場合、ＢＢＵは、ＵＥへのリソースの割り当てを一時的に停止する、具体的には、ＵＥのアップストリームサービスを一時的に停止する。
【０１１０】
任意選択的に、ＯＬＴにより送信されたＯＮＵ登録要求を受信した後、ＢＢＵは、直ちにリソース割り当てを変調してＵＥへのリソースの割り当てを一時的に停止し得る、具体的には、ＵＥのアップストリームサービスを一時的に停止し得るか、または、ある期間の遅延の後に、リソース割り当てを調整してＵＥへのリソースの割り当てを一時的に停止し得る、具体的には、ＵＥのアップストリームサービスを一時的に停止し得る。
【０１１１】
任意選択的に、ＢＢＵは、ＯＬＴにより送信されたＯＮＵ登録要求を受信した後に、現在のサービスステータスを評価し得る。救急サービスが現在利用できない場合、ＢＢＵは、リソース割り当てを調整してＵＥへのリソースの割り当てを一時的に停止し得る、具体的には、ＵＥのアップストリームサービスを一時的に停止し得る。救急サービスが現在利用できる場合、ＢＢＵは、ＵＥへのリソースの割り当てを続け、ＯＬＴからのＯＮＵ登録要求を拒否し、ＯＮＵ登録を拒否するためのＯＮＵ登録応答メッセージを生成し得る。
【０１１２】
Ｓ３０４．ＢＢＵがＯＮＵ登録応答メッセージをＯＬＴへ送信する。
【０１１３】
ＯＮＵ登録応答メッセージのメッセージフォーマットは、ＧＰＯＮシステムまたはＥＰＯＮシステムなどの様々なＰＯＮシステムにおける規格に記録されたメッセージフォーマット、例えば、オペレーション、管理および保守（Ｏｐｅｒａｔｉｏｎ，  Ａｄｍｉｎｉｓｔｒａｔｉｏｎ，  ａｎｄ  Ｍａｉｎｔｅｎａｎｃｅ、ＯＡＭ）メッセージ、物理層オペレーション、管理および保守（Ｐｈｙｓｉｃａｌ  Ｌａｙｅｒ  ＯＡＭ、ＰＬＯＡＭ）メッセージ、光ネットワーク端末管理および制御インタフェース（ｏｐｔｉｃａｌ  ｎｅｔｗｏｒｋ  ｔｅｒｍｉｎａｌ  ｍａｎａｇｅｍｅｎｔ  ａｎｄ  ｃｏｎｔｒｏｌ  ｉｎｔｅｒｆａｃｅ、ＯＭＣＩ）メッセージであり得るか、無線フィールドにおけるモバイルベアラシステムの規格において指定される様々なメッセージフォーマットであり得るか、または、別のカスタマイズされたメッセージフォーマットであり得る。本明細書において用いられるメッセージフォーマットは、限定されない。加えて、これらのメッセージフォーマットは、以下様々な実施形態にも適用され得る。
【０１１４】
任意選択的に、ＯＮＵ登録応答メッセージは、前述の様々なメッセージのうちのいずれか１つであり得、メッセージコンテンツは、ＯＮＵ登録応答識別子を含む。
【０１１５】
具体的には、ＢＢＵは、ＯＮＵ登録に必要とされるサイレントウィンドウのサイズと、現在のサービスステータスとに基づいて、ＯＬＴがＯＮＵ登録を実行することを可能にすべきかどうかを判断すると共に、ＯＮＵ登録応答識別子を生成する。ＯＮＵ登録応答識別子は、ＯＬＴがＯＮＵ登録応答メッセージを受信した後にＯＮＵ登録を実行し得るかどうか、を識別するために用いられ得る。
【０１１６】
さらに、ＢＢＵは、ＯＮＵ登録に必要とされるサイレントウィンドウのサイズと、現在のサービスステータスとに基づいて、ＯＮＵ登録開始時刻を決定する。ＯＮＵ登録応答メッセージは、ＢＢＵ識別子と、ＯＬＴ識別子と、メッセージタイプと、ＯＮＵ登録開始時刻と、ＯＮＵ登録に必要とされるサイレントウィンドウのサイズとのうちの１つまたは複数をさらに含み得る。
【０１１７】
任意選択的に、一連の段階Ｓ３０４および段階Ｓ３０６は交換可能であり得る。具体的には、ＢＢＵは、まず、ＯＮＵ登録応答メッセージをＯＬＴへ送信し、次に、ＯＮＵ登録が始まった場合、ＯＮＵ登録要求メッセージおよびＯＮＵ登録応答メッセージに基づいて、ユーザ機器デバイスへの帯域幅リソースの割り当てを一時的に停止する。
【０１１８】
Ｓ３０６．ＯＬＴが、ＢＢＵにより送信されたＯＮＵ登録応答メッセージを受信した後に、ＯＮＵ登録プロセスを開始し、ＯＮＵ登録を完了する。
【０１１９】
ＯＮＵ登録プロセスについては、ＧＰＯＮシリーズ規格および／またはＥＰＯＮシリーズ規格を参照されたい。このことは、本願の本実施形態において限定されない。
【０１２０】
任意選択的に、ＢＢＵとＵＥとの間に救急サービスがあり、ＢＢＵがＯＬＴからのＯＮＵ登録要求を拒否した場合、ＯＬＴは、ＢＢＵにより送信された、ＯＮＵ登録を拒否するためのＯＮＵ登録応答メッセージを受信した後は、ＯＮＵ登録プロセスを実行せず、ある期間の遅延の後に、ＯＮＵ登録要求をＢＢＵへ改めて送信し得る。
【０１２１】
Ｓ３０８．ＢＢＵがユーザ機器デバイスへのリソースの割り当てを再開する。
【０１２２】
任意選択的に、ＯＬＴが、ＯＮＵ登録プロセスを完了した後に、ＯＮＵ登録完了メッセージをＢＢＵへ送信する。ＢＢＵが、ＯＮＵ登録完了メッセージを受信した後に、ユーザ機器デバイスへのリソースの割り当てを再開する。
【０１２３】
任意選択的に、ＢＢＵはさらに、ＯＮＵ登録開始時刻と、ＯＮＵ登録に必要とされるサイレントウィンドウのサイズとに基づいて、ユーザ機器デバイスへのリソースの割り当てを独立して再開し得る。具体的には、ＢＢＵは、ＯＮＵ登録開始時刻に、ユーザ機器デバイスへのリソースの割り当てを一時的に停止する。リソースの割り当てを一時的に停止する時間は、ＯＮＵ登録に必要とされるサイレントウィンドウのサイズと等しい。サイレントウィンドウが終了した後に、ＢＢＵは、ユーザ機器デバイスへのリソースの割り当てを再開する。
【０１２４】
前述の実施形態において、ＯＬＴは、ＯＮＵ登録を実行する度に、ＢＢＵに通知する必要がある。ＢＢＵは、ＯＮＵ登録要求を受信した後に、ＵＥへのリソースの割り当てを一時的に停止し、次に、ＯＮＵ登録が完了するまで、ＵＥのデータ送信を一時的に停止する。ＯＮＵ登録が完了した後に、ＢＢＵは、ＯＮＵ登録中、ＵＥがアップストリームサービスを一時的に停止すること、およびアップストリームデータがＲＲＵおよびＯＮＵに到達しないことを保証するために、ＵＥへのリソースの割り当てを再開すると共に、ＵＥのデータ送信を再開する。従って、ＯＮＵ登録に起因してデータがＢＢＵへタイムリーに送信され得ず、遅延がＢＢＵとＲＲＵとの間のインタフェースの遅延要件を超える場合が回避され、それに応じて、ＯＮＵ登録が遅延感応型サービスに影響を及ぼすという問題が解決される。これにより、ＰＯＮシステムがモバイルベアラシステムに適用される場合でもサービス送信要件は依然として満たされ得、ユーザ満足度が向上する。
【０１２５】
別の実施形態が図４に示される。
【０１２６】
Ｓ４００.ＯＬＴがＯＮＵ登録要求メッセージをＢＢＵへ送信する。
【０１２７】
具体的には、ＯＬＴがＯＮＵ登録のためにサイレントウィンドウを開ける必要がある場合、ＯＬＴは、ＯＮＵ登録要求メッセージをＢＢＵへ送信する。
【０１２８】
登録要求メッセージのメッセージコンテンツは、ＯＮＵ登録に必要とされるサイレントウィンドウのサイズと、ＯＮＵ登録期間とを含み得る。
【０１２９】
メッセージコンテンツは、ＯＬＴ識別子、ＢＢＵ識別子およびメッセージタイプのうちの１つまたは複数をさらに含み得る。
【０１３０】
ＯＮＵ登録期間は、秒または分の単位で表され得る。例えば、ＯＬＴがＯＮＵ登録を１０秒毎に実行する場合、ＯＮＵ登録期間は１０秒である。
【０１３１】
ＯＮＵ登録に必要とされるサイレントウィンドウのサイズは、ＯＬＴとＯＮＵとの間の光ファイバの長さに基づいて決定され得る。例えば、ＯＬＴとＯＮＵとの間の光ファイバの最大長が２０ｋｍである場合、ＯＮＵ登録に必要とされるサイレントウィンドウのサイズは通常、２５０マイクロ秒である。
【０１３２】
Ｓ４０２．ＢＢＵが、ＯＮＵ登録期間と、ＯＮＵ登録に必要とされるサイレントウィンドウのサイズとに基づいて、ＯＮＵ登録開始時刻を決定する。
【０１３３】
ＢＢＵは、ＯＬＴにより送信された、ＯＮＵ登録期間と、およびＯＮＵ登録に必要とされるサイレントウィンドウのサイズとに基づいて、現在のサービスステータス、ＵＥに割り当てられる必要があるリソース等を評価し、ＯＮＵ登録開始時刻を決定し、ＯＮＵ登録応答メッセージを生成することが留意されるべきである。
【０１３４】
Ｓ４０４．ＢＢＵが、ＯＮＵ登録応答識別子を含むＯＮＵ登録応答メッセージをＯＬＴへ送信する。
【０１３５】
ＯＮＵ登録応答メッセージは、ＢＢＵ識別子と、ＯＬＴ識別子と、メッセージタイプと、ＯＮＵ登録開始時刻と、ＯＮＵ登録期間と、ＯＮＵ登録に必要とされるサイレントウィンドウのサイズとのうちの１つまたは複数をさらに含み得る。ＯＮＵ登録応答メッセージは、ＯＮＵ登録期間と、ＯＮＵ登録に必要とされるサイレントウィンドウのサイズとを含むと共に、ＢＢＵがＯＮＵ登録中にアップストリーム許可を一時的に停止するように、ＢＢＵがＯＮＵ登録期間と、ＯＮＵ登録に必要とされるサイレントウィンドウのサイズとを正確に受信しているかどうかをＯＬＴが確認するために主に用いられることが本明細書において留意されるべきである。
【０１３６】
Ｓ４０６．ＢＢＵがユーザ機器デバイスへの帯域幅リソースの割り当てを周期的に、一時的に停止する。
【０１３７】
具体的には、ＯＮＵ登録が始まった場合、ＢＢＵは、決定したＯＮＵ登録開始時刻と、ＯＮＵ登録期間と、ＯＮＵ登録に必要とされるサイレントウィンドウのサイズとに基づいて、ＵＥへのリソースの割り当てを周期的に、一時的に停止する。
【０１３８】
Ｓ４０８．ＯＬＴは、ＯＮＵ登録を周期的に開始する。
【０１３９】
具体的には、ＯＬＴは、ＢＢＵにより配信される、ＯＮＵ登録開始時刻と、ＯＮＵ登録期間と、ＯＮＵ登録に必要とされるサイレントウィンドウのサイズとに基づいて、ＯＮＵ登録期間中にＯＮＵ登録を周期的に開始する。
【０１４０】
ＯＮＵ登録については、ＧＰＯＮシリーズ規格および／またはＥＰＯＮシリーズ規格を参照されたい。このことは、本願の本実施形態において限定されない。
【０１４１】
Ｓ４１０．ＢＢＵが、ＯＮＵ登録が完了したと判断した後に、ＵＥへのリソースの割り当てを再開する。
【０１４２】
ＢＢＵが、ＯＬＴと事前にネゴシエーションされたサイレントウィンドウのサイズ、ＯＮＵ登録開始時刻等に基づいて、ＯＮＵ登録完了時刻を決定し、ＯＮＵ登録が完了した後に、ＵＥへのリソースの割り当てを再開する方式、または、ＯＬＴが、登録を完了する度にその後、登録完了メッセージをＢＢＵへ送信し、次に、ＢＢＵがＵＥへのリソースの割り当てを再開する方式のいずれも用いられ得、本明細書において限定されない。
【０１４３】
本実施形態と図３に対応する実施形態との間の違いは、ＢＢＵが、前述の保持された情報に基づいて、ＯＮＵ登録開始時刻を決定し、決定したＯＮＵ登録開始時刻に基づいて、ＵＥへのリソースの割り当てを周期的に、一時的に停止し得る、具体的には、ＵＥによる中央局へのデータの送信を一時的に停止し得るように、ＯＬＴが、ＯＮＵ登録期間と、ＯＮＵ登録に必要とされるサイレントウィンドウのサイズとを事前にＢＢＵへ送信するという点にあることが留意されるべきである。このように、ＯＬＴは、ＯＮＵ登録中、ＵＥがアップストリームサービスを一時的に停止すること、およびアップストリームデータがＲＲＵおよびＯＮＵに到達しないことを保証するために、ＯＮＵ登録が開始される必要があることをＢＢＵに通知すべく、ＯＮＵ登録を実行する度にメッセージをＢＢＵへ送信する必要はない。従って、ＯＮＵ登録に起因してデータがＢＢＵへタイムリーに送信され得ず、遅延がＢＢＵとＲＲＵとの間のインタフェースの遅延要件を超える場合が回避され、それに応じて、ＯＮＵ登録が遅延感応型サービスに影響を及ぼすという問題が解決される。これにより、ＰＯＮシステムがモバイルベアラシステムに適用される場合でもサービス送信要件は依然として満たされ得、ユーザ満足度が向上する。
【０１４４】
図５は、無線ネットワークがＴＤＤモードであるシナリオに適用される別の登録方法のフローチャートである。詳細は以下のとおりである。
【０１４５】
ＴＤＤモードでは、送信および受信は、同じ周波数チャネルの異なるタイムスロットにおいて生し、時間は、送信チャネルを受信チャネルと分離するために用いられる。例えば、時点Ａで、基地局は、信号をＵＥへ送信のみし得るが、ＵＥから信号を受信し得ない。言い換えると、ダウンリンク信号のみが基地局とＵＥとの間で送信される。時点Ｂで、基地局は、ＵＥから信号を受信のみし得るが、ＵＥへ信号を送信し得ない。言い換えると、アップリンク信号のみが基地局とＵＥとの間で送信される。
【０１４６】
ネットワーク側デバイスは、ベースバンドユニット（ＢＢＵ）と、ＢＢＵに接続された光回線終端装置（ＯＬＴ）とを含む。詳細については、図１に示されるシステムアーキテクチャを参照されたい。方法は、以下の段階を含む。
【０１４７】
Ｓ５００．ＢＢＵがサブフレーム構成情報をＯＬＴへ送信する。
【０１４８】
ＴＤＤ−ＬＴＥシステムの一例において、各無線フレームは、１０ｍｓの時間領域長を有し、２つの５ｍｓの半フレームに分割され、各半フレームはさらに、５つの１ｍｓサブフレームに分割される。サブフレームは、アップリンクサブフレーム、ダウンリンクサブフレームおよび特別サブフレームに分類される。７つのサブフレーム構成が、プロトコルにおいてサポートされ、異なるサービス要件に適用可能である。
【０１４９】
表１は、サブフレーム構成情報を示す。  表１：サブフレーム構成情報
【表１】
0006900624.tif 000002
【０１５０】
ＴＤＤ−ＬＴＥシステムは、２つのダウンリンクからアップリンクへの切り替えポイント周期：５ｍｓおよび１０ｍｓをサポートすることが表１から分かり得る。切り替えポイント周期にかかわらず、サブフレーム０および５の両方がダウンリンクサブフレームであり、詳細は以下のとおりである。
【０１５１】
５ｍｓの切り替えポイントは、サブフレーム構成０、１、２および６を含み、両方の半フレームに特別サブフレームを有する。特別サブフレームはそれぞれ、サブフレーム１および６に位置する。
【０１５２】
１０ｍｓ切り替えポイントは、サブフレーム構成３、４および５を含み、サブフレーム１のみに特別サブフレームを有する。サブフレーム１は、ＤｗＰＴＳ長が１ｍｓである特別サブフレームとみなされ得る。
【０１５３】
異なるアップリンク‐ダウンリンクサブフレーム比が異なるサブフレーム構成において規定される。例えば、構成５では、アップリンク‐ダウンリンクサブフレーム比は、１：８である。この比は、ダウンリンクアプリケーションが注目されるシナリオに適用可能である。構成０では、アップリンク‐ダウンリンクサブフレーム比は３：１である。この比は、アップリンクアプリケーションが注目されるシナリオに適用可能である。
【０１５４】
ＢＢＵは、前述のサブフレーム構成情報をＯＬＴへ送信する。
【０１５５】
Ｓ５０２．ＯＬＴが、ＢＢＵにより送信されたサブフレーム構成情報を受信する。
【０１５６】
Ｓ５０４．ＯＬＴがダウンストリーム配ステータスおよび／またはアップストリームデータ分配ステータスをモニタリングし、受信したサブフレーム構成情報に基づいて、ＯＮＵ登録のために用いられるタイムスロットを計算する。
【０１５７】
ＯＬＴは、ダウンストリームデータ到達ステータスおよび／またはアップストリームデータ到達ステータスをモニタリングし、ＯＬＴがダウンリンクサブフレームに対応するタイムスロットを、ＯＮＵ登録のために用いられるタイムスロットとして選択し得るように、サブフレーム構成情報に基づいて、ダウンリンクサブフレームに対応する、サブフレーム構成情報中のタイムスロットを、計算を通して取得する。
【０１５８】
本明細書において、ＯＬＴは主に、ＢＢＵによりフィードバックされたサブフレーム構成情報と、モニタリングしたダウンストリームデータ分配ステータスおよび／またはアップストリームデータ配ステータスとを用いることにより、ダウンリンクサブフレームに対応する、サブフレーム構成情報中のタイムスロットを、計算を通して取得する。この場合、タイムスロットは単なるアップリンクアイドルタイムスロットであり、ＵＥは、データを有さない、具体的には、ＯＬＴとＯＮＵとの間のアップストリームチャネルもアイドルである。これにより、ＯＬＴは、タイムスロットを用いてＯＮＵ登録を完了し得る。このことにより、タイムスロットの利用率およびシステムの送信効率が向上する。
【０１５９】
任意選択的に、ＯＬＴは、ダウンストリームデータ到達ステータスおよび／またはアップストリームデータ到達ステータスを長時間モニタリングし、評価を通じて無線リンクアップリンク‐ダウンリンクサブフレーム構成情報を取得し、かつ、ＯＬＴがダウンリンクサブフレームに対応するタイムスロットを、ＯＮＵ登録のために用いられるタイムスロットとして選択し得るように、サブフレーム構成情報に基づいて、ダウンリンクサブフレームに対応する、サブフレーム構成情報中のタイムスロットを、計算を通して取得し得る。
【０１６０】
Ｓ５０６．ＯＬＴが、計算したタイムスロットに基づいて、ＯＮＵ登録を開始する。
【０１６１】
ＯＬＴは、計算したタイムスロットに基づいてＯＮＵ登録を開始し、ＯＮＵ登録プロセスを完了する。
【０１６２】
本実施形態において、ＯＬＴは、受信したサブフレーム構成情報と、モニタリングしたダウンストリームデータ分配ステータスおよび／またはアップストリームデータ分配ステータスとに基づいて、ＢＢＵにより提供されるサブフレーム構成情報を用いることにより、光ネットワークユニット登録（ＯＮＵ登録）のために用いられるタイムスロットを計算して、遅延感応型サービスに対するＯＮＵ登録の影響を回避しつつダウンリンクサブフレームの、ＢＢＵのサブフレーム構成情報中の送信タイムスロットを用いることにより、ＯＮＵ登録を実行する。これにより、アップストリームサービスデータの送信レートが向上すると共に、サイレントウィンドウが終了した後にのみ、登録されたＯＮＵがアップストリームサービスデータを送信し得るので、アップストリームサービスデータの送信中に比較的大きい遅延が存在し、結果的に、遅延感応型サービスのシステム遅延要件が満たされ得ない、という問題が解決される。
【０１６３】
図６は、図１ａに示されるデータ通信システムのアーキテクチャに適用される別の登録方法を示す。
【０１６４】
図１ａにおいて、システムアーキテクチャは、クラウドコントローラと、ＢＢＵと、ＯＬＴと、ＯＮＵと、ＲＲＵと、ＵＥとを含む。図１ａに示されるように、クラウドコントローラは、ＢＢＵに接続され得、ＢＢＵを用いることによりＯＬＴに接続され得る、または、クラウドコントローラは、ＢＢＵおよびＯＬＴに別個に接続され得る。ＯＬＴは、光分配ネットワーク（ＯＤＮ）を用いることにより各ＯＮＵに接続され、ＯＮＵは、ＲＲＵに接続され、ＲＲＵは、ＵＥに無線接続される。ＵＥは、様々なユーザ機器デバイス、例えば、携帯電話またはコンピュータであり得る。
【０１６５】
図１ａにおけるシステムアーキテクチャと図１におけるシステムアーキテクチャとの間の違いは、図１ａでは、クラウドコントローラがさらにネットワーク側に追加されるという点にある。クラウドコントローラは、無線モバイルベアラおよびＰＯＮネットワーク帯域幅を共同でスケジューリングするように構成される。具体的には、他のネットワーク要素および接続関係は、図１におけるものと同じである。
【０１６６】
図１ａに適用される登録方法は、図６に示され、具体的には、以下の段階を含む。
【０１６７】
Ｓ６００．クラウドコントローラが、ＯＮＵ登録を開始するための命令を受信し、ＯＮＵ登録開始時刻を決定する。
【０１６８】
具体的には、クラウドコントローラは、単一のＯＮＵ登録を開始するための命令を受信し得る。具体的には、オペレータが、ＰＯＮデバイス管理システム内および／またはＰＯＮ管理プラットフォーム上でＯＮＵ登録を開始し、ＰＯＮデバイス管理システムおよび／またはＰＯＮ管理プラットフォームは、クラウドコントローラに対するＯＮＵ登録命令を開始する。
【０１６９】
さらに、オペレータは、設定を通じて、ＰＯＮデバイス管理システム内および／またはＰＯＮ管理プラットフォーム上でＯＮＵ登録を周期的に開始し得、ＰＯＮデバイス管理システムおよび／またはＰＯＮ管理プラットフォームは、クラウドコントローラに対するＯＮＵ登録命令を周期的に開始する。
【０１７０】
さらに、オペレータは、クラウドコントローラが、指定されたＯＮＵ登録期間に基づいてＯＮＵ登録を周期的にトリガし得るように、設定を通じて、クラウドコントローラでのＯＮＵ登録を周期的に開始し得る。
【０１７１】
ＯＮＵ登録命令は、限定されるものではないが、ＯＮＵ登録期間と、ＯＮＵ登録に必要とされるサイレントウィンドウのサイズと、ＯＮＵ登録を開始するＯＬＴの識別子とのうちの１つまたは複数を含み得る。
【０１７２】
具体的には、クラウドコントローラは、ＯＮＵ登録期間と、ＯＮＵ登録命令中のＯＮＵ登録に必要とされるサイレントウィンドウのサイズとに基づいて、ＯＮＵ登録開始時刻を決定する。
【０１７３】
ＯＮＵ登録命令は、ＯＮＵ登録を開始するＯＬＴに接続されたＢＢＵの識別子をさらに含み得る。
【０１７４】
任意選択的に、クラウドコントローラは、ＯＮＵ登録命令に含まれる、ＯＮＵ登録を開始するＯＬＴの識別子に基づいて、ＯＬＴに接続されたＢＢＵの識別子を決定し得る。さらに、クラウドコントローラは、ＯＮＵ登録期間と、ＯＮＵ登録に必要とされるサイレントウィンドウのサイズと、ＢＢＵがＵＥにリソースを割り当てるステータスとに基づいて、ＯＮＵ登録開始時刻を決定し得る。
【０１７５】
任意選択的に、クラウドコントローラは、ＯＮＵ登録を開始するための命令を受信した後に、現在のサービスステータスを評価し得る。救急サービスが現在利用できない場合、クラウドコントローラは、ＯＮＵ登録を直ちに開始する、言い換えると、現時点をＯＮＵ登録開始時刻に設定する。救急サービスが現在利用できる場合、クラウドコントローラは、ＯＮＵ登録の開始を延期し得、例えば、救急サービスが完了した後の時点をＯＮＵ登録開始時刻に設定し得る。
【０１７６】
さらに、方法が、無線ネットワークがＴＤＤモードであるシナリオに適用される場合、クラウドコントローラは、無線ネットワークにおけるアップリンク‐ダウンリンクサブフレーム構成に基づいてＯＮＵ登録開始時刻を決定し、無線ネットワークにおけるアップリンクアイドルタイムスロットにおいてＯＮＵ登録を実行する。
【０１７７】
Ｓ６０２．クラウドコントローラが、ＵＥへの帯域幅リソースの割り当てを一時的に停止する。
【０１７８】
具体的には、クラウドコントローラは、ＯＮＵ登録開始時刻に基づいて、ユーザ機器デバイスへの帯域幅リソースの割り当てを一時的に停止する。
【０１７９】
さらに、クラウドコントローラは、ＯＮＵ登録を開始するＯＬＴに接続されたＢＢＵのＵＥへの帯域幅リソースの割り当てを一時的に停止する。
【０１８０】
任意選択的に、さらに、方法が、無線ネットワークがＴＤＤモードであるシナリオに適用される場合、クラウドコントローラは、無線ネットワークにおけるアップリンク‐ダウンリンクサブフレーム構成に基づいてＯＮＵ登録開始時刻を決定し、無線ネットワークにおけるアップリンクアイドル時点においてＯＮＵ登録を実行する。従って、クラウドコントローラは、ＵＥへの帯域幅リソースの割り当てを一時的に停止する必要がない。
【０１８１】
Ｓ６０４．クラウドコントローラが、ＯＮＵ登録を完了するようＯＬＴに命令する。
【０１８２】
具体的には、クラウドコントローラは、ＯＮＵ登録開始時刻とサイレントウィンドウのサイズとに基づいて、ＯＮＵ登録を開始するＯＬＴの全てのＯＮＵへのサービス帯域幅の許可を一時的に停止し、サイレントウィンドウを開く。
【０１８３】
Ｓ６０６．ＯＬＴが、クラウドコントローラの命令に基づいて、ＯＮＵ登録を完了する。
【０１８４】
具体的には、ＯＬＴは、クラウドコントローラの命令に基づいて、決定したサイレントウィンドウにおいてＯＮＵ登録を完了する。
【０１８５】
Ｓ６０８．クラウドコントローラが、ＵＥおよびＯＮＵへの帯域幅リソースの割り当てを再開する。
【０１８６】
具体的には、クラウドコントローラは、ＯＬＴがＯＮＵ登録を完了した後に、ＯＮＵ登録を開始するＯＬＴに接続されたＢＢＵのＵＥへの帯域幅リソースの割り当てを再開する。
【０１８７】
さらに、クラウドコントローラは、ＯＬＴがＯＮＵ登録を完了した後に、ＯＬＴのＯＮＵへのサービス帯域幅の許可を再開する。
【０１８８】
帯域幅リソースの割り当ては、一時的に停止される。
【０１８９】
具体的には、実施形態が以下のとおり説明される。
【０１９０】
段階Ｓ７００からＳ７０８は、クラウドコントローラが無線リソースおよびＰＯＮ帯域幅リソースを共同でスケジューリングするプロセスである。クラウドコントローラに基づいてＯＮＵ登録を実行するための方法の手順が、段階Ｓ７１０からＳ７１６において説明される。
【０１９１】
Ｓ７００．ＵＥが、ＢＢＵを用いることにより、クラウドコントローラからの帯域幅リソースを要求する。
【０１９２】
Ｓ７０２．ＯＮＵが、ＯＬＴを用いることにより、クラウドコントローラからの帯域幅リソースを要求する。
【０１９３】
Ｓ７０４．クラウドコントローラが無線リソースおよびＰＯＮ帯域幅を計算する。
【０１９４】
具体的には、クラウドコントローラは、ＵＥにより要求された帯域幅リソース、すなわち、無線リソースと、ＯＮＵにより要求された帯域幅リソース、すなわち、ＰＯＮ帯域幅リソースとに基づいて、計算を実行して、ＵＥに割り当てられる無線リソースおよびＯＮＵに割り当てられるＰＯＮ帯域幅リソースを決定する。
【０１９５】
Ｓ７０６．クラウドコントローラが、ＢＢＵを用いることにより、ＵＥへの割り当てられる無線リソースを配信する。
【０１９６】
Ｓ７０８．クラウドコントローラがＯＬＴへのＰＯＮ帯域幅許可を配信する。
【０１９７】
以下では、クラウドコントローラに基づいてＯＮＵ登録を実行するための方法の手順を説明する。
【０１９８】
Ｓ７１０．クラウドコントローラが、無線リソースおよびＰＯＮ帯域幅の割り当てを一時的に停止する。
【０１９９】
具体的には、クラウドコントローラは、ＵＥにより要求された帯域幅リソースと、ＯＮＵにより要求された帯域幅リソースと、ＯＮＵ登録に必要とされるサイレントウィンドウのサイズとに基づいて、無線リソースの割り当ておよびＰＯＮ帯域幅の割り当てを一時的に停止する。
【０２００】
具体的には、単一のＯＮＵ登録を開始するための命令をクラウドコントローラが受信した場合、クラウドコントローラは、ＵＥにより要求された帯域幅リソースと、ＯＮＵにより要求された帯域幅リソースと、ＯＮＵ登録に必要とされるサイレントウィンドウのサイズとに基づいて、ＯＮＵ登録開始時刻を決定する。ＯＮＵ登録が始まった場合、クラウドコントローラは、無線リソースの割り当ておよびＰＯＮ帯域幅の割り当てを一時的に停止する。
【０２０１】
ＯＮＵ登録を周期的に開始するための命令をクラウドコントローラが受信した場合、クラウドコントローラは、ＵＥにより要求された帯域幅リソースと、ＯＮＵにより要求された帯域幅リソースと、ＯＮＵ登録期間と、ＯＮＵ登録に必要とされるサイレントウィンドウのサイズとに基づいて、ＯＮＵ登録開始時刻を決定すると共に、ＯＮＵ登録が始まった場合、ＯＮＵ登録期間に基づいて、無線リソースの割り当ておよびＰＯＮ帯域幅の割り当てを周期的に、一時的に停止する。
【０２０２】
Ｓ７１２．クラウドコントローラが、ＯＮＵ登録を開始するようＯＬＴに命令する。
【０２０３】
具体的には、クラウドコントローラがＯＮＵ登録を開始するようＯＬＴに命令するメッセージコンテンツは、ＯＮＵ登録開始時刻を含み得る。
【０２０４】
メッセージコンテンツは、ＯＬＴ識別子と、メッセージタイプと、ＯＮＵ登録期間と、ＯＮＵ登録に必要とされるサイレントウィンドウのサイズとのうちの１つまたは複数をさらに含み得る。
【０２０５】
Ｓ７１４．ＯＬＴが、サイレントウィンドウを開き、ＯＮＵ登録を開始する。
【０２０６】
ＯＮＵ登録については、ＧＰＯＮシリーズ規格および／またはＥＰＯＮシリーズ規格を参照されたい。このことは、本願の本実施形態において限定されない。
【０２０７】
Ｓ７１６．クラウドコントローラが、ＵＥへの無線リソースの割り当ておよびＰＯＮ帯域幅の割り当てを再開する。
【０２０８】
具体的には、クラウドコントローラはさらに、ＯＮＵ登録開始時刻と、ＯＮＵ登録に必要とされるサイレントウィンドウのサイズとに基づいて、ユーザ機器デバイスへのリソースの割り当ておよびＰＯＮ帯域幅の割り当てを再開し得る。具体的には、クラウドコントローラは、ＯＮＵ登録開始時刻に、ユーザ機器デバイスへのリソースの割り当ておよびＰＯＮ帯域幅の割り当てを一時的に停止する。リソースの割り当ておよびＰＯＮ帯域幅の割り当てを一時的に停止する時間は、ＯＮＵ登録に必要とされるサイレントウィンドウのサイズと等しい。サイレントウィンドウが終了した後に、クラウドコントローラは、ユーザ機器デバイスへのリソースの割り当ておよびＰＯＮ帯域幅の割り当てを再開する。
【０２０９】
本実施形態において、クラウドコントローラは、ＯＬＴおよびＢＢＵのリソースを一元的に割り当ておよびスケジューリングすることで、遅延感応型サービスに対するＯＮＵ登録の影響を回避しつつ、アップストリームサービスデータの送信レートを向上させる。これにより、サイレントウィンドウが終了した後にのみ、登録されたＯＮＵがアップストリームサービスデータを送信し得るので、アップストリームサービスデータの送信中に比較的大きい遅延が存在し、結果的に、遅延感応型サービスのシステム遅延要件が満たされ得ない、という問題が解決される。
【０２１０】
以下では、装置の実施形態およびシステムの実施形態を具体的に説明する。繰り返しを回避するために、以下の装置およびシステムの実施形態における全ての装置およびシステムは、前述の様々な実施形態における登録方法手順に適用可能であることが留意されるべきである。本明細書における説明を簡潔にするために、様々な登録方法の前述の実施形態は、必要な場合、さらなる説明のために引用され得る。
【０２１１】
図８は、ネットワーク側デバイスを示す。ネットワーク側デバイスは、ＰＯＮシステムにおける光回線終端装置（ＯＬＴ）であり得る。詳細は以下のとおりである。
【０２１２】
ネットワーク側デバイスは、光ネットワークユニット登録要求メッセージ（ＯＮＵ登録要求メッセージ）をベースバンドユニット（ＢＢＵ）へ送信し、ＢＢＵから応答メッセージを受信するように構成される送受信機８００と、送受信機８０２がＢＢＵから応答メッセージを受信後にＯＮＵ登録を開始するように構成されるプロセッサ８０２とを含む。
【０２１３】
さらに、任意選択的に、登録要求は、ＯＮＵ登録に必要とされるサイレントウィンドウのサイズを含む。
【０２１４】
さらに、任意選択的に、ＢＢＵの応答メッセージは、ＢＢＵにより決定されたＯＮＵ登録応答識別子を含む。
【０２１５】
送受信機はさらに、ＯＮＵ登録完了メッセージをＢＢＵへ送信するように構成される。
【０２１６】
プロセッサ８００は、メディアアクセスコントローラ（ＭＡＣ）または別のマイクロプロセッサであり得る。送受信機は、ＯＬＴの光モジュールに配置され得、送受信機は、送信機および受信機を含み得る。送信機および受信機は、共に統合され得るか、または独立して分離され得る。
【０２１７】
図９は、ネットワーク側デバイスを示す。ネットワーク側デバイスは、ベースバンドユニット（ＢＢＵ）であり得る。
【０２１８】
ネットワーク側デバイスは、ＯＬＴにより送信された登録要求メッセージを受信するように構成される送受信機９００と、登録要求メッセージに基づいて、ユーザ機器デバイスへの帯域幅リソースの割り当てを一時的に停止するように構成されるコントローラ９０２とを含む。
【０２１９】
さらに、任意選択的に、登録要求メッセージは、ＯＮＵ登録に必要とされるサイレントウィンドウのサイズを含む。
【０２２０】
さらに、任意選択的に、コントローラ９０２はさらに、ＯＮＵ登録に必要とされるサイレントウィンドウのサイズに基づいて、ＯＮＵ登録開始時刻を決定するように構成される。
【０２２１】
送受信機９００はさらに、決定したＯＮＵ登録開始時刻をＯＬＴへ送信するように構成される。
【０２２２】
送受信機９００はさらに、ＢＢＵにより決定されたＯＮＵ登録応答識別子をＯＬＴへ送信するように構成される。ＯＮＵ登録応答識別子は、ＯＬＴがＯＮＵ登録応答メッセージを受信した後にＯＮＵ登録を実行し得るかどうか、を識別するために用いられる。
【０２２３】
コントローラ９０２は、マイクロプロセッサまたは別のプロセッサであり得、無線モバイルベアラネットワークにおけるユーザ機器デバイスへリソースを割り当てるように構成される。
【０２２４】
図８および図９におけるネットワーク側デバイス（ＯＬＴおよびＢＢＵ）については、図１におけるシステムアーキテクチャを参照されたい。ＯＮＵ登録プロセスにおいてＯＬＴおよびＢＢＵにより完了される機能についての詳細に関しては、対応する実施形態における方法の実施形態および具体的な説明における図２から図６を参照されたい。詳細は、ここでは改めて説明されない。
【０２２５】
具体的には、ＯＬＴとＢＢＵとの間のインタラクションの詳細なプロセスについては、図２から図４と、対応する方法の実施形態における具体的な説明とを参照されたい。
【０２２６】
前述の実施形態において、ＯＬＴは、ＯＮＵ登録要求メッセージをＢＢＵへ送信し、ＢＢＵは、ＯＮＵ登録要求メッセージを受信した後に、ユーザ機器デバイスへの帯域幅リソースの割り当てを一時的に停止し、ＯＬＴは、ＯＮＵ登録中、ＵＥがアップストリームサービスを一時的に停止すること、およびアップストリームデータがＲＲＵおよびＯＮＵに到達しないことを保証するために、ＢＢＵから応答メッセージを受信した後にＯＮＵ登録を開始する。従って、ＯＮＵ登録に起因してデータがＢＢＵへタイムリーに送信され得ず、遅延がＢＢＵとＲＲＵとの間のインタフェースの遅延要件を超える場合が回避され、それに応じて、ＯＮＵ登録が遅延感応型サービスに影響を及ぼすという問題が解決される。これにより、ＰＯＮシステムがモバイルベアラシステムに適用される場合でもサービス送信要件は依然として満たされ得、ユーザ満足度が向上する。
【０２２７】
図１０は、ネットワーク側デバイスを示す。ネットワーク側デバイスは、ＰＯＮシステムにおける光回線終端装置（ＯＬＴ）であり得る。
【０２２８】
ネットワーク側デバイスは、ベースバンドユニット（ＢＢＵ）により送信されたサブフレーム構成情報を受信するように構成される送受信機１０００と、受信したサブフレーム構成情報に基づいて、光ネットワークユニット（ＯＮＵ）登録のために用いられるタイムスロットを計算し、かつ、計算したタイムスロットに基づいてＯＮＵ登録を開始するように構成されるコントローラ１００２とを含む。
【０２２９】
さらに、任意選択的に、コントローラ１００２はさらに、送受信機１０００を用いることにより、ＯＮＵ登録要求メッセージをＢＢＵへ送信するように構成される。
【０２３０】
さらに、任意選択的に、コントローラは、具体的には、ダウンリンクサブフレームの構成情報に対応する、サブフレーム構成情報中のタイムスロットを計算し、かつ、計算したタイムスロットを、ＯＮＵ登録のために用いられるタイムスロットとして選択するように構成される。
【０２３１】
ネットワーク側デバイスは、ＢＢＵのサブフレーム構成情報を用いることにより、ダウンリンクサブフレームの構成情報に対応する、サブフレーム構成情報中のタイムスロットを、ＯＮＵ登録のために用いられるタイムスロットとして決定する。このタイムスロットにおいて、ＵＥは、アップリンクサブフレームをＢＢＵへ送信せず、ＯＮＵ登録は、タイムスロットを用いることにより実行される。これにより、低遅延という既存の問題が解決されるのみでなく、アップストリームサービスデータの送信レートおよび送信効率も向上し得る。このことにより、帯域幅の利用率が大きく向上する。
【０２３２】
具体的には、ＯＬＴとＢＢＵとの間のインタラクションの詳細なプロセスについては、図５と、対応する方法の実施形態における具体的な説明とを参照されたい。
【０２３３】
本実施形態において、ＯＬＴは、受信したサブフレーム構成情報に基づいて、ベースバンドユニット（ＢＢＵ）のサブフレーム構成情報を用いることにより、光ネットワークユニット登録（ＯＮＵ登録）のために用いられるタイムスロットを計算して、遅延感応型サービスに対するＯＮＵ登録の影響を回避しつつダウンリンクサブフレームの、ＢＢＵのサブフレーム構成情報中の送信タイムスロットを用いることにより、ＯＮＵ登録を実行する。これにより、アップストリームサービスデータの送信レートが向上すると共に、サイレントウィンドウが終了した後にのみ、登録されたＯＮＵがアップストリームサービスデータを送信し得るので、アップストリームサービスデータの送信中に比較的大きい遅延が存在し、結果的に、遅延感応型サービスのシステム遅延要件が満たされ得ない、という問題が解決される。
【０２３４】
図１１は、ネットワーク側デバイスを示す。ネットワーク側デバイスは、クラウドコントローラであり得、具体的には、図１ａに示されるシステムにおけるクラウドコントローラであり得る。
【０２３５】
ネットワーク側デバイスは、ＯＮＵ登録開始時刻を決定するように構成される計算ユニット１１００と、ＯＮＵ登録開始時刻に基づいて、ユーザ機器デバイスへの帯域幅リソースの割り当てを一時的に停止するように構成される処理ユニット１１０２とを含む。
【０２３６】
さらに、任意選択的に、計算ユニット１１００は、具体的には、ＯＮＵ登録期間と、ＯＮＵ登録に必要とされるサイレントウィンドウのサイズとを含む、ＯＮＵ登録を開始するための命令を受信し、かつ、ＯＮＵ登録命令中の、ＯＮＵ登録期間と、ＯＮＵ登録に必要とされるサイレントウィンドウのサイズとに基づいて、ＯＮＵ登録開始時刻を決定するように構成される。
【０２３７】
具体的には、ＯＬＴとＢＢＵとの間のインタラクションの詳細なプロセスについては、図１ａ、図６および図７と、対応する方法の実施形態における具体的な説明とを参照されたい。
【０２３８】
クラウドコントローラは、ＯＬＴおよびＢＢＵとは無関係であり、ネットワーク側に別個に存在するデバイスであることが留意されるべきである。クラウドコントローラは、メッセージまたは指示情報をＯＬＴまたはＢＢＵへ送信し、ＯＬＴの動的帯域幅割り当て（Ｄｙｎａｍｉｃ  Ｂａｎｄｗｉｄｔｈ  Ａｌｌｏｃａｔｉｏｎ、ＤＢＡ）モジュールが、このメッセージまたは指示情報を受信し、これに対応して処理し、または、ＢＢＵのプールがこのメッセージまたは指示情報を受信し、これに対応して処理する。
【０２３９】
本実施形態において、クラウドコントローラは、ＯＬＴおよびＢＢＵのリソースを一元的に割り当ておよびスケジューリングすることで、遅延感応型サービスに対するＯＮＵ登録の影響を回避しつつ、アップストリームサービスデータの送信レートを向上させる。これにより、サイレントウィンドウが終了した後にのみ、登録されたＯＮＵがアップストリームサービスデータを送信し得るので、アップストリームサービスデータの送信中に比較的大きい遅延が存在し、結果的に、遅延感応型サービスのシステム遅延要件が満たされ得ない、という問題が解決される。
【０２４０】
図１は、データ通信システムを示す。システムは、ベースバンドユニット（ＢＢＵ）と、遠隔無線ユニット（ＲＲＵ）と、ＢＢＵに接続された光回線終端装置（ＯＬＴ）と、ＲＲＵに接続された光ネットワークユニット（ＯＮＵ）とを含む。ＯＬＴは、光分配ネットワーク（ＯＤＮ）を用いることにより、各ＯＮＵに接続される。
【０２４１】
ＯＬＴは、光ネットワークユニット登録要求メッセージ（ＯＮＵ登録要求メッセージ）をＢＢＵへ送信し、ＢＢＵから応答メッセージを受信した後にＯＮＵ登録を開始する。
【０２４２】
ＢＢＵは、ＯＬＴにより送信されたＯＮＵ登録要求メッセージを受信し、かつ、登録要求メッセージに基づいて、ユーザ機器デバイスへの帯域幅リソースの割り当てを一時的に停止するように構成される。
【０２４３】
さらに、任意選択的に、登録要求は、ＯＮＵ登録に必要とされるサイレントウィンドウのサイズを含む。
【０２４４】
さらに、任意選択的に、ＢＢＵの応答メッセージは、ＢＢＵにより決定されるＯＮＵ登録応答識別子を含む。
【０２４５】
さらに、任意選択的に、ＯＬＴは、ＯＮＵ登録完了メッセージをＢＢＵへ送信する。
【０２４６】
さらに、任意選択的に、ＢＢＵは、ＯＮＵ登録に必要とされるサイレントウィンドウのサイズに基づいて、ＯＮＵ登録開始時刻を決定し、決定したＯＮＵ登録開始時刻をＯＬＴへ送信する。
【０２４７】
さらに、任意選択的に、ＢＢＵは、ＢＢＵが決定したＯＮＵ登録応答識別子をＯＬＴへ送信する。ＯＮＵ登録応答識別子は、ＯＬＴがＯＮＵ登録応答メッセージを受信した後にＯＮＵ登録を実行し得るかどうか、を識別するために用いられる。
【０２４８】
図２から図４において説明される登録方法および対応する実施形態は、図１に示されるシステムに適用され得る。ＯＬＴおよびＢＢＵにより完了される特定の機能についての詳細に関しては、対応する実施形態における説明を参照されたい。
【０２４９】
本実施形態において提供されるデータ通信システムにおいて、ＯＬＴは、ＯＮＵ登録要求メッセージをＢＢＵへ送信し、ＢＢＵは、ＯＮＵ登録要求メッセージを受信した後に、ユーザ機器デバイスへの帯域幅リソースの割り当てを一時的に停止し、ＯＬＴは、遅延感応型サービスに対するＯＮＵ登録の影響を回避するために、ＯＮＵ登録中、ＢＢＵがＵＥへのリソースの割り当てを一時的に停止するように、ＢＢＵから応答メッセージを受信した後にＯＮＵ登録を開始する。これにより、ユーザ満足度が向上する。
【０２５０】
図１は、データ通信システムを示す。システムは、ベースバンドユニット（ＢＢＵ）と、遠隔無線ユニット（ＲＲＵ）と、ＢＢＵに接続された光回線終端装置（ＯＬＴ）と、ＲＲＵに接続された光ネットワークユニット（ＯＮＵ）とを含む。ＯＬＴは、光分配ネットワーク（ＯＤＮ）を用いることにより、各ＯＮＵに接続される。
【０２５１】
ＯＬＴは、ＢＢＵにより送信されたサブフレーム構成情報を受信し、受信したサブフレーム構成情報に基づいて、ＯＮＵ登録のために用いられるタイムスロットを計算し、かつ、計算したタイムスロットに基づいて、ＯＮＵ登録を開始するように構成される。
【０２５２】
ＢＢＵは、サブフレーム構成情報をＯＬＴへ送信するように構成される。
【０２５３】
図５において説明される登録方法および対応する実施形態は、図１に示されるシステムに適用され得る。ＯＬＴおよびＢＢＵにより完了される特定の機能についての詳細に関しては、対応する実施形態における説明を参照されたい。
【０２５４】
本実施形態において、ＯＬＴは、受信したサブフレーム構成情報に基づいて、ベースバンドユニット（ＢＢＵ）のサブフレーム構成情報を用いることにより、光ネットワークユニット登録（ＯＮＵ登録）のために用いられるタイムスロットを計算して、遅延感応型サービスに対するＯＮＵ登録の影響を回避しつつダウンリンクサブフレームの、ＢＢＵのサブフレーム構成情報中の送信タイムスロットを用いることにより、ＯＮＵ登録を実行する。これにより、アップストリームサービスデータの送信レートが向上すると共に、サイレントウィンドウが終了した後にのみ、登録されたＯＮＵがアップストリームサービスデータを送信し得るので、アップストリームサービスデータの送信中に比較的大きい遅延が存在し、結果的に、遅延感応型サービスのシステム遅延要件が満たされ得ない、という問題が解決される。
【０２５５】
図１ａは、データ通信システムを示す。システムは、クラウドコントローラと、ベースバンドユニット（ＢＢＵ）と、遠隔無線ユニット（ＲＲＵ）と、ＢＢＵに接続された光回線終端装置（ＯＬＴ）と、ＲＲＵに接続された光ネットワークユニット（ＯＮＵ）とを含む。ＯＬＴは、光分配ネットワーク（ＯＤＮ）を用いることにより、各ＯＮＵに接続される。
【０２５６】
クラウドコントローラは、ＯＮＵ登録開始時刻を決定し、かつ、ＯＮＵ登録開始時刻に基づいて、ユーザ機器デバイスへの帯域幅リソースの割り当てを一時的に停止するようＢＢＵに命令するように構成される。
【０２５７】
ＯＬＴは、ＯＮＵ登録を開始するために、クラウドコントローラから命令を受信するように構成される。
【０２５８】
ＢＢＵは、クラウドコントローラの命令に基づいて、ユーザ機器デバイスへの帯域幅リソースの割り当てを一時的に停止するように構成される。
【０２５９】
さらに、クラウドコントローラがＯＮＵ登録開始時刻を決定することは、具体的には、
クラウドコントローラが、ＯＮＵ登録期間と、ＯＮＵ登録に必要とされるサイレントウィンドウのサイズとを含む、ＯＮＵ登録を開始するための命令を受信することと、
ＯＮＵ登録命令中の、ＯＮＵ登録期間と、ＯＮＵ登録に必要とされるサイレントウィンドウのサイズとに基づいて、ＯＮＵ登録開始時刻を決定することと
を含む。
【０２６０】
図６および図７において説明される登録方法および対応する実施形態は、図１ａに示されるシステムに適用され得る。ＯＬＴおよびＢＢＵにより完了される特定の機能についての詳細に関しては、対応する実施形態における説明を参照されたい。
【０２６１】
本実施形態において提供されるデータ通信システムにおいて、クラウドコントローラは、ＯＬＴおよびＢＢＵのリソースを一元的に割り当ておよびスケジューリングすることで、遅延感応型サービスに対するＯＮＵ登録の影響を回避しつつ、アップストリームサービスデータの送信レートを向上させる。これにより、サイレントウィンドウが終了した後にのみ、登録されたＯＮＵがアップストリームサービスデータを送信し得るので、アップストリームサービスデータの送信中に比較的大きい遅延が存在し、結果的に、遅延感応型サービスのシステム遅延要件が満たされ得ない、という問題が解決される。
【０２６２】
本発明の実施形態は、データ通信デバイスをさらに提供する。図１２に示されるように、データ通信デバイスは、プロセッサと、メモリと、バスシステムとを含む。プロセッサおよびメモリは、バスシステムを用いることにより接続され、メモリは、命令を格納するように構成され、プロセッサは、メモリに格納された命令を実行するように構成される。
【０２６３】
プロセッサは、光ネットワークユニット登録要求メッセージ（ＯＮＵ登録要求メッセージ）をベースバンドユニット（ＢＢＵ）へ送信し、かつ、ＢＢＵから応答メッセージを受信した後にＯＮＵ登録を開始するように構成される。
【０２６４】
別の実施形態において、プロセッサは、ＯＬＴにより送信されたＯＮＵ登録要求メッセージを受信し、かつ、登録要求メッセージに基づいて、ユーザ機器デバイスへの帯域幅リソースの割り当てを一時的に停止するように構成され得る。
【０２６５】
別の実施形態において、プロセッサはさらに、ベースバンドユニット（ＢＢＵ）により送信されたサブフレーム構成情報を受信し、受信したサブフレーム構成情報に基づいて、光ネットワークユニット（ＯＮＵ）登録のために用いられるタイムスロットを計算し、かつ、計算したタイムスロットに基づいてＯＮＵ登録を開始するように構成され得る。
【０２６６】
別の実施形態において、プロセッサはさらに、ＯＮＵ登録開始時刻を決定し、かつ、ＯＮＵ登録開始時刻に基づいて、ユーザ機器デバイスへの帯域幅リソースの割り当てを一時的に停止するようＢＢＵに命令するように構成され得る。
【０２６７】
本願の連続番号の前述の実施形態は、例示目的のためのものに過ぎず、実施形態の優先順位を示すようには意図されていない。
【０２６８】
本実施形態において、データ通信デバイスは、ＯＮＵ登録要求メッセージを受信した後に、登録中にアップストリームデータがＲＲＵおよびＯＮＵに到達しないことを保証するために、ユーザ機器デバイスへの帯域幅リソースの割り当てを一時的に停止する。従って、ＯＮＵ登録に起因してデータがＢＢＵへタイムリーに送信され得ず、遅延がＢＢＵとＲＲＵとの間のインタフェースの遅延要件を超える場合が回避され、ＯＮＵ登録が遅延感応型サービスに影響を及ぼすという問題が解決される。これにより、ＰＯＮシステムがモバイルベアラシステムに適用される場合でもサービス送信要件は依然として満たされ得、ユーザ満足度が向上する。
【０２６９】
当業者であれば、実施形態の段階の全てまたはいくつかは、ハードウェアまたは関連するハードウェアに命令するプログラムにより実行され得ることを理解し得る。プログラムは、コンピュータ可読記憶媒体に格納され得る。上述の記憶媒体は、リードオンリメモリ、磁気ディスク、光ディスク等を含み得る。
【０２７０】
前述の説明は、本願の特定の実施形態に過ぎず、本願を限定することを意図してはいない。本願の趣旨および原理から逸脱することなく行われるあらゆる修正、均等な置き換え、または改良は、本願の保護範囲に含まれるべきである。
【図１】
0006900624.tif 000003
【図１ａ】
0006900624.tif 000004
【図２】
0006900624.tif 000005
【図３】
0006900624.tif 000006
【図４】
0006900624.tif 000007
【図５】
0006900624.tif 000008
【図６】
0006900624.tif 000009
【図７】
0006900624.tif 000010
【図８】
0006900624.tif 000011
【図９】
0006900624.tif 000012
【図１０】
0006900624.tif 000013
【図１１】
0006900624.tif 000014
【図１２】
0006900624.tif 000015